(57)【要約】いずれの先行技術文献にも、より大きなサイズの画像（「映像」とも言う。以下同じ。）データをより忠実に保ちながら伝送することについては考慮が無い。画像データを伝送する画像伝送装置であって、画像データを圧縮する圧縮処理部と、圧縮処理部で圧縮した圧縮画像データを出力する出力部とを有し、出力部は、圧縮画像データを第一の期間と当該第一の期間とは異なる第二の期間とに分けて出力することを特徴とする。
2013076777.tif 000002
【特許請求の範囲】
【請求項１】
画像データを伝送する画像伝送装置であって、
画像データを圧縮する圧縮処理部と、
前記圧縮処理部で圧縮した圧縮画像データを出力する出力部とを有し、
前記出力部は、圧縮画像データを第一の期間と当該第一の期間とは異なる第二の期間とに分けて出力することを特徴とする画像伝送装置。
【請求項２】
画像データを圧縮し伝送する画像伝送装置において、
画像データを圧縮処理して、圧縮画像データと、圧縮処理に関する圧縮符号情報とを生成する圧縮処理部と、
前記圧縮画像データを伝送する第一の期間と、前記第一の期間よりもエラー耐性の高い第二の期間とを切り替えて出力するデータ転送部と、を備え、
前記データ転送部は、前記圧縮符号情報を、前記第一の期間と前記第二の期間とに分けて出力すること
を特徴とする画像伝送装置。
【請求項３】
請求項２に記載の画像伝送装置において、
前記第二の期間が水平ブランキング期間または垂直ブランキング期間であることを特徴とする画像伝送装置
【請求項４】
請求項２に記載の画像伝送装置において、
前記圧縮処理部は、第一の圧縮処理及び当該第一の圧縮処理の後に行われる第二の圧縮処理を行い、
前記データ転送部は、少なくとも前記第二の圧縮処理に関する圧縮符号情報を前記第二の期間に出力することを特徴とする画像伝送装置
【請求項５】
請求項２に記載の画像伝送装置において、
前記圧縮処理部は、前記第一の期間に出力される圧縮符号情報及び第二の期間に出力される圧縮符号情報のうち、少なくともいずれか一方に対して、さらに圧縮処理を行うことを特徴とする画像伝送装置
【請求項６】
圧縮された画像データを受信する画像受信装置において、
第一の期間で圧縮された画像データ及び圧縮処理に関する圧縮符号情報の一部を受信し、第一の期間とは異なる第二の期間で前記圧縮に関する圧縮符号情報の残りを受信する受信部と、
前記受信部で受信した圧縮符号情報に基づいて前記受信部で受信した圧縮された画像データを伸長する伸長部と、を有し、
前記伸長部は、第一の期間で受信した圧縮符号情報にエラーが発生した圧縮ブロックにおいて、第二の期間で受信した圧縮符号情報を用いて前記圧縮された画像データを伸張することを特徴とする画像受信装置。
【請求項７】
画像伝送装置から画像データを伝送する画像伝送方法であって、
画像データを圧縮するステップと、
圧縮した圧縮画像データを出力するステップとを有し、
圧縮画像データを第一の期間と当該第一の期間とは異なる第二の期間とに分けて出力することを特徴とする画像伝送方法。
【請求項８】
画像伝送装置から画像データを伝送する画像伝送方法において、
画像データを圧縮処理して、圧縮画像データと、圧縮処理に関する圧縮符号情報とを生成するステップと、
前記圧縮画像データを伝送する第一の期間と、前記第一の期間よりもエラー耐性の高い第二の期間とを切り替えて出力するステップと、を備え、
前記圧縮符号情報を、前記第一の期間と前記第二の期間とに分けて出力することを特徴とする画像伝送方法。
【請求項９】
画像受信装置で圧縮された画像データを受信する画像受信方法において、
第一の期間で圧縮された画像データ及び圧縮処理に関する圧縮符号情報の一部を受信し、第一の期間とは異なる第二の期間で前記圧縮に関する圧縮符号情報の残りを受信するステップと、
受信した圧縮符号情報に基づいて受信した圧縮された画像データを伸長するステップと、を有し、
第一の期間で受信した圧縮符号情報にエラーが発生した圧縮ブロックにおいて、第二の期間で受信した圧縮符号情報を用いて前記圧縮された画像データを伸張することを特徴とする画像受信方法。
【請求項１０】
画像データを伝送する画像伝送装置であって、
複数の成分からなる画像データを圧縮処理する圧縮処理部と、
前記圧縮画像データを出力するデータ転送部と、を備え、
前記データ転送部は、画像データの各成分に基づいて、当該画像データの出力方法を変更することを特徴とする画像伝送装置。
【請求項１１】
画像データを圧縮し伝送する画像伝送装置において、
複数の原色成分からなる画像データまたは輝度成分と色成分とからなる画像データを圧縮処理して、圧縮画像データと、圧縮処理に関する圧縮符号情報を生成する圧縮処理部と、
前記圧縮画像データと前記圧縮符号情報とを出力するデータ転送部と、を備え、
前記データ転送部は、画像データの各成分に割り当てられた伝送優先度、画像データの各成分の圧縮率の比率、または伝送路の伝送エラー率に応じて、少なくとも出力ビット幅及び出力ビット割当のいずれかを変更して出力することを特徴とする画像伝送装置。
【請求項１２】
請求項１１に記載の画像伝送装置において、
第一の優先度を有する成分または第一の圧縮率を有する成分に割り当てられる出力ビット幅は、当該第一の優先度よりも低い第二の優先度を有する成分または当該第一の圧縮率よりも低い第二の圧縮率を有する成分に割り当てられる出力ビット幅よりも大きいことを特徴とする画像伝送装置。
【請求項１３】
請求項１１に記載の画像伝送装置において、
第一の優先度を有する成分または第一の圧縮率を有する成分に割り当てられる出力ビットの伝送エラー率は、当該第一の優先度よりも低い第二の優先度を有する成分または当該第一の圧縮率よりも低い第二の圧縮率を有する成分に割り当てられる出力ビットの伝送エラー率よりも低いことを特徴とする画像伝送装置。
【請求項１４】
請求項１２または請求項１３に記載の画像伝送装置において、
前記画像データが輝度成分と色成分とからなる画像データである場合、輝度成分に、色成分よりも高い伝送優先度を割り当てることを特徴とする画像伝送装置。
【請求項１５】
請求項１２または請求項１３に記載の画像伝送装置において、
前記画像データがＲＧＢ色差分信号である場合、Ｇ成分に、Ｒ成分およびＢ成分よりも高い伝送優先度を割り当てることを特徴とする画像伝送装置。
【請求項１６】
請求項１２または請求項１３に記載の画像伝送装置において、
前記画像データが４：４：４フォーマットのＹＣｂＣｒ輝度色差分信号である場合、４：２：２成分に、残りの色差成分よりも高い伝送優先度を割り当てることを特徴とする画像伝送装置。
【請求項１７】
請求項１１に記載の画像伝送装置において、
第一の優先度を有する圧縮画像データの伝送路の伝送エラー率は、当該第一の優先度よりも低い第二の優先度を有す圧縮画像データの伝送路の伝送エラー率よりも小さいことを特徴とする画像伝送装置。
【請求項１８】
画像データを圧縮し伝送する画像伝送装置において、
複数の原色成分からなる画像データまたは輝度成分と色成分とからなる画像データを圧縮処理して、圧縮画像データと、圧縮処理に関する圧縮符号情報を生成する圧縮処理部と、
前記圧縮画像データと前記圧縮符号情報を出力するデータ転送部と、を備え、
前記データ転送部が、圧縮画像データの各成分または、圧縮画像データの各成分をインタリーブして出力することを特徴とする画像伝送装置。
【請求項１９】
画像伝送装置から画像データを伝送する画像伝送方法であって、
複数の成分からなる画像データを圧縮処理するステップと、
前記圧縮画像データを出力するステップと、を備え、
画像データの各成分に基づいて、当該画像データの出力方法を変更することを特徴とする画像伝送方法。
【請求項２０】
画像伝送装置から画像データを伝送する画像伝送方法において、
複数の原色成分からなる画像データまたは輝度成分と色成分とからなる画像データを圧縮処理して、圧縮画像データと、圧縮処理に関する圧縮符号情報を生成するステップと、
前記圧縮画像データと前記圧縮符号情報とを出力するステップと、を備え、
画像データの各成分に割り当てられた伝送優先度、画像データの各成分の圧縮率の比率、または伝送路の伝送エラー率に応じて、少なくとも出力ビット幅及び出力ビット割当のいずれかを変更して出力することを特徴とする画像伝送方法。
【請求項２１】
画像データを伝送する画像伝送装置であって、
画像データを圧縮処理して、圧縮画像データと、圧縮処理に関する圧縮符号情報とを生成する圧縮処理部と、
前記圧縮画像データと前記圧縮符号情報とを出力するデータ転送部と、を備え、
前記圧縮符号情報の冗長性が圧縮画像データよりも高いことを特徴とする画像伝送装置。
【請求項２２】
画像データを圧縮し伝送する画像伝送装置において、
画像データを圧縮処理して、圧縮画像データと、圧縮処理に関する圧縮符号情報を生成する圧縮処理部と、
前記圧縮画像データと前記圧縮符号情報を出力するデータ転送部と、備え、
前記圧縮処理部は圧縮符号情報に対して冗長な圧縮符号情報を生成し、
前記データ転送部は当該冗長な圧縮符号情報を出力することを特徴とする画像伝送装置。
【請求項２３】
請求項２２に記載の画像伝送装置において、
伝送エラー率に応じて、前記冗長な圧縮符号情報の個数を変えることを特徴とする画像伝送装置。
【請求項２４】
請求項２２または請求項２３に記載の画像伝送装置において、
前記圧縮符号情報と、少なくとも１個の前記圧縮符号情報に対する前記冗長な圧縮符号情報を、同一伝送路に出力することを特徴とする画像伝送装置。
【請求項２５】
請求項２２または請求項２３に記載の画像伝送装置において、
前記圧縮符号情報と、少なくとも１個の前記圧縮符号情報に対する前記冗長な圧縮符号情報とを、異なる伝送路に出力することを特徴とする画像伝送装置。
【請求項２６】
請求項２２または請求項２３に記載の画像伝送装置において、  
前記データ転送部が、前記圧縮符号情報を、前記圧縮画像データを伝送する第一の期間と、第一の期間よりもエラー耐性の高い第二の期間とに分けて出力し、
さらに、前記第二の期間に出力する前記圧縮符号情報に対して冗長な圧縮符号情報を、前記第二の期間で出力することを特徴とする画像伝送装置。
【請求項２７】
請求項２２または請求項２３に記載の画像伝送装置において、  
前記データ転送部が、前記圧縮符号情報を、前記圧縮画像データを伝送する第一の期間と、第一の期間よりもエラー耐性の高い第二の期間とに分けて出力し、
さらに、前記第一の期間に出力する前記圧縮符号情報に対して冗長な圧縮符号情報を、前記第一の期間で出力することを特徴とする画像伝送装置。
【請求項２８】
画像伝送装置から画像データを伝送する画像伝送方法であって、
画像データを圧縮処理して、圧縮画像データと、圧縮処理に関する圧縮符号情報とを生成するステップと、
前記圧縮画像データと前記圧縮符号情報とを出力するステップと、を備え、
前記圧縮符号情報の冗長性が圧縮画像データよりも高いことを特徴とする画像伝送方法。
【請求項２９】
画像伝送装置から画像データを圧縮し伝送する画像伝送方法において、
画像データを圧縮処理して、圧縮画像データと、圧縮処理に関する圧縮符号情報を生成するステップと、
前記圧縮画像データと前記圧縮符号情報を出力するステップと、備え、
圧縮符号情報に対して冗長な圧縮符号情報を生成して出力することを特徴とする画像伝送方法。
【請求項３０】
画像データを伝送する画像伝送装置であって、
画像データを圧縮する圧縮処理部と、
前記圧縮処理部で圧縮した圧縮画像データを出力する出力部とを有し、
前記出力部は、圧縮画像データを第一の期間と当該第一の期間とは異なる第二の期間とに分けて出力し、
前記圧縮処理部は、伝送路の伝送エラー率に基づいて、画像データの圧縮処理を変更することを特徴とする画像伝送装置。
【請求項３１】
画像データを圧縮し伝送する画像伝送装置において、
画像データを圧縮処理して、圧縮画像データと、圧縮処理に関する圧縮符号情報とを生成する圧縮処理部と、
前記圧縮画像データを伝送する第一の期間と、前記第一の期間よりもエラー耐性の高い第二の期間とを切り替えて出力するデータ転送部と、を備え、
前記データ転送部は、前記圧縮符号情報を、前記第一の期間と前記第二の期間に分けて出力し、
前記圧縮処理部は、伝送路の伝送エラー率が所定の伝送エラー率よりも高い場合に、低い圧縮率で圧縮処理を行って圧縮画像データを減らす、及び／または第一の期間で出力する前記圧縮符号情報、または第二の期間で出力する前記圧縮符号情報の冗長度を高めることを特徴とする画像伝送装置。
【請求項３２】
請求項３１に記載の画像伝送装置において、
前記データ転送部は、伝送路の伝送エラー率が所定の伝送エラー率より高い場合に、前記第一の期間を延長することを特徴とする画像伝送装置。
【請求項３３】
請求項３１に記載の画像伝送装置において、
前記データ転送部は、伝送路の伝送エラー率が所定の伝送エラー率より高い場合に、前記第二の期間を延長することを特徴とする画像伝送装置。
【請求項３４】
請求項３１に記載の画像伝送装置において、
前記データ転送部は、伝送路の伝送エラー率が所定の伝送エラー率よりも低い場合に、前記第一の期間を延長すると共に、前記第二の期間で出力する圧縮符号情報を前記第一の期間で出力することを特徴とする画像伝送装置。
【請求項３５】
画像データを圧縮し伝送する画像伝送装置において、
画像データを圧縮処理して、圧縮画像データと、圧縮処理に関する圧縮符号情報とを生成する圧縮処理部と、
第一の期間で少なくとも圧縮画像データと、圧縮符号情報データを出力し、前記第一の期間よりもエラー耐性の高い第二の期間で少なくとも音声データを出力するデータ転送部と、を備え、
前記圧縮処理部は、伝送路の伝送エラー率が所定の伝送エラー率より高い場合に、低い圧縮率で圧縮処理を行って圧縮画像データを減らすと共に、圧縮符号情報の少なくとも一部を第二の期間で伝送することを特徴とする画像伝送装置。
【請求項３６】
画像データを圧縮し伝送する画像伝送装置において、
画像データを圧縮処理して、圧縮画像データと、圧縮処理に関する圧縮符号情報とを生成する圧縮処理部と、
前記圧縮画像データと、前記圧縮符号情報を伝送路に出力するデータ転送部と、を備え、
前記圧縮処理部は、コンテンツの種類によって、圧縮率または圧縮方式を変更することを特徴とする画像伝送装置。
【請求項３７】
画像伝送装置から画像データを伝送する画像伝送方法であって、
画像データを圧縮するステップと、
圧縮した圧縮画像データを出力するステップと、を有し、
圧縮画像データを第一の期間と当該第一の期間とは異なる第二の期間とに分けて出力し、
伝送路の伝送エラー率に基づいて、画像データの圧縮処理を変更することを特徴とする画像伝送方法。
【請求項３８】
画像伝送装置から画像データを圧縮し伝送する画像伝送方法において、
画像データを圧縮処理して、圧縮画像データと、圧縮処理に関する圧縮符号情報とを生成するステップと、
前記圧縮画像データを伝送する第一の期間と、前記第一の期間よりもエラー耐性の高い第二の期間とを切り替えて出力するステップと、を備え、
前記圧縮符号情報を、前記第一の期間と前記第二の期間に分けて出力し、
伝送路の伝送エラー率が所定の伝送エラー率よりも高い場合に、低い圧縮率で圧縮処理を行って圧縮画像データを減らす、及び／または第一の期間で出力する前記圧縮符号情報、または第二の期間で出力する前記圧縮符号情報の冗長度を高めることを特徴とする画像伝送方法。
【発明の詳細な説明】
【技術分野】
【０００１】
技術分野は、映像情報の送受信に関する。
【背景技術】
【０００２】
近年、デジタル画像処理で扱う画素数は、一般ユーザ向けディスプレイの４ｋ2ｋ（３８４０×２１６０画素）化、放送のＨＤ(High Definition：１９２０×１０８０画素)化、デジタルビデオカメラのイメージセンサやディスプレイの高画素化に伴い、年々増加している。【０００３】
これらの画像データを機器間で伝送する方式について、ＨＤＭＩ(High-Definition Multimedia Interface（HDMI Licensing,LLCの登録商標）)規格やＶＥＳＡ(Video Electronics Standards Association)により策定されたDisplayPort（VESAの登録商標または商標）規格などがある。【０００４】
前記のＨＤＭＩのデータ伝送方式において、特許文献１には、「非圧縮映像信号またはこの非圧縮映像信号に対して受信装置が対応可能な圧縮方式で圧縮処理を施して得られた圧縮映像信号を選択的に送信するものであり、伝送路の伝送ビットレート内で、所望のビットレートの映像信号を良好に送信できる」（特許文献１［００４８］参照）こと、また圧縮方式について、「データ圧縮部１２１-1〜１２１-nは、それぞれ、コーデック１１７から出力された非圧縮の映像信号を所定の圧縮比をもって圧縮処理し、圧縮された映像信号を出力する。データ圧縮部１２１-1〜１２１-nは、映像信号圧縮部を構成している。データ圧縮部１２１-1〜１２１-nは、それぞれ、互いに異なる圧縮方式でデータ圧縮処理を行う。例えば、圧縮方式としては、「ＲＬＥ（Run Length Encoding）」、「Ｗａｖｅｌｅｔ」、「ＳＢＭ（Super Bit Mapping（ソニーの登録商標））」、「ＬＬＶＣ（Low Latency Video Codec）」、「ＺＩＰ」等が考えられる」（特許文献１［００７７］参照）ことが記載されている。【０００５】
また、HDMIにおいて、画像データは、ＴＭＤＳ(Transition Minimized Differential Signaling（Silicon Image, Inc.の登録商標）)方式のデータ伝送フォーマットが採用されており、その一例として特許文献２が示されている。
【先行技術文献】
【特許文献】
【０００６】
【特許文献１】特開２００９−２１３１１０号公報
【特許文献２】特表２００５−５１４８７３号公報
【発明の概要】
【発明が解決しようとする課題】
【０００７】
しかし、いずれの先行技術文献にも、より大きなサイズの画像（「映像」とも言う。以下同じ。）データをより忠実に保ちながら伝送することについては考慮が無い。
【課題を解決するための手段】
【０００８】
上記課題を解決するために、例えば特許請求の範囲に記載の構成を採用する。【０００９】
本願は上記課題を解決する手段を複数含んでいるが、その一例を挙げるならば、画像データを伝送する画像伝送装置であって、画像データを圧縮する圧縮処理部と、圧縮処理部で圧縮した圧縮画像データを出力する出力部とを有し、出力部は、圧縮画像データを第一の期間と当該第一の期間とは異なる第二の期間とに分けて出力することを特徴とする。【００１０】
また、他の一例を挙げるならば、画像データを伝送する画像伝送装置であって、複数の成分からなる画像データを圧縮処理する圧縮処理部と、圧縮画像データを出力するデータ転送部と、を備え、データ転送部は、画像データの各成分に基づいて、画像データの出力方法を変更する。【００１１】
また、他の一例を挙げるならば、画像データを伝送する画像伝送装置であって、画像データを圧縮処理して、圧縮画像データと、圧縮処理に関する圧縮符号情報とを生成する圧縮処理部と、圧縮画像データと圧縮符号情報とを出力するデータ転送部と、を備え、圧縮符号情報の冗長性が圧縮画像データよりも高いことを特徴とする。【００１２】
また、他の一例を挙げるならば、画像データを伝送する画像伝送装置であって、画像データを圧縮する圧縮処理部と、圧縮処理部で圧縮した圧縮画像データを出力する出力部とを有し、出力部は、圧縮画像データを第一の期間と当該第一の期間とは異なる第二の期間とに分けて出力し、圧縮処理部は、伝送路の伝送エラー率に基づいて、画像データの圧縮処理を変更することを特徴とする。
【発明の効果】
【００１３】
上記手段によれば、より大きなサイズの画像データを、より忠実に保ちながら伝送することが可能となる。
【図面の簡単な説明】
【００１４】
【図１】第１実施例の画像伝送装置および画像受信装置の一例。
【図２】第１実施例の画像データの有効／ブランキング期間の一例。
【図３】第１実施例の圧縮する画像データの単位の一例。
【図４】第１実施例の圧縮する画像データの単位の一例。
【図５】第１実施例の主圧縮符号情報と副圧縮符号情報と圧縮画像データの構成の一例。
【図６】第１実施例のデータ転送のタイミングの一例。
【図７】第１実施例の圧縮処理部の一例。
【図８】第１実施例の圧縮処理部の一例。
【図９】第１実施例の圧縮処理部の一例。
【図１０】第１実施例の圧縮部Aの一例。
【図１１】第１実施例の圧縮部Aの一例。
【図１２】第１実施例のエラー訂正符号生成部の一例。
【図１３】第１実施例のデータ伝送部の一例。
【図１４】第１実施例の圧縮符号情報パケットのヘッダの一例。
【図１５】第１実施例の圧縮符号情報パケットのデータの一例。
【図１６】第１実施例の圧縮符号情報パケットのヘッダの一例。
【図１７】第１実施例の圧縮符号情報パケットのデータの一例。
【図１８】第１実施例の圧縮符号情報の一例。
【図１９】第１実施例の画像受信装置のＥＤＩＤ記述の一例。
【図２０】第１実施例のデータ受信処理部の一例。
【図２１】第１実施例の伸張処理部の一例。
【図２２】第１実施例の伸張処理部の一例。
【図２３】第１実施例の伸張処理部の一例。
【図２４】第１実施例の伸張処理部の一例。
【図２５】第１実施例のデータ転送のタイミングの一例。
【図２６】第１実施例のデータ転送のタイミングの一例。
【図２７】第１実施例の圧縮符号情報の一例。
【図２８】第１実施例の圧縮符号情報の一例。
【図２９】第２実施例のシリアライザの波形の一例。
【図３０】第２実施例のシリアライザ出力のデータ構成の一例。
【図３１】第２実施例の音声データのパケット構成の一例。
【図３２】第２実施例の圧縮画像データの各成分に対する伝送路のビット割当の一例。
【図３３】第２実施例の圧縮画像データの各成分に対する伝送路のビット割当の一例。
【図３４】第２実施例の圧縮画像データの各成分に対する伝送路のビット割当の一例。
【図３５】第２実施例の圧縮画像データの各成分に対する伝送路のビット割当の一例。
【図３６】第２実施例の圧縮画像データの各成分に対する伝送路のビット割当の一例。
【図３７】第２実施例の圧縮画像データの各成分に対する伝送路のビット割当の一例。
【図３８】第２実施例の圧縮画像データの各成分に対する伝送路のビット割当の一例。
【図３９】第３実施例の主圧縮符号情報の冗長度を付加しない際のデータ構成の一例
【図４０】第３実施例の主圧縮符号情報の冗長度を付加した際のデータ構成の一例
【図４１】第３実施例の主圧縮符号情報の冗長度を付加した際のデータ構成の一例
【図４２】第３実施例の主圧縮符号情報の冗長度を付加した際のデータ構成の一例
【図４３】第３実施例の副圧縮符号情報の冗長度を付加した際のデータ構成の一例
【図４４】第４実施例の伝送エラー率に対する、圧縮率、水平ブランキング期間、および冗長度の割当の一例
【図４５】第４実施例の伝送エラー率に対する、圧縮率、水平ブランキング期間、および冗長度の割当の一例
【図４６】第４実施例の伝送エラー率に対する、圧縮方式、水平ブランキング期間、および冗長度の割当の一例
【図４７】第５実施例のコンテンツに対する、圧縮率、水平ブランキング期間、および冗長度の割当の一例
【図４８】第６実施例の主圧縮符号情報、副圧縮符号情報および圧縮画像データ、および音声パケットの伝送タイミングの一例
【図４９】第６実施例の主圧縮符号情報、副圧縮符号情報および圧縮画像データ、および音声パケットの伝送タイミングの一例
【発明を実施するための形態】
【００１５】
従来、遅延時間を最小にする画像データ伝送方式として非圧縮画像データ伝送方式があるが、大きなサイズの画像データを送るには高速な伝送路を必要とする課題があった。その解決の為に、画像データを圧縮して伝送する方式が提案されているが、伝送路上でエラーが発生すると、複数画素で構成される圧縮ブロック単位で、表示画像が乱れてしまう課題があった。また、高いエラー耐性が確保されているブランキング期間で伝送できるデータ量は、有効画素期間で伝送できるデータ量よりも少ないという課題があった。
【００１６】
本実施例では、画像データを圧縮して伝送する伝送方式において、圧縮ブロック単位毎に圧縮して、圧縮符号情報を生成し、圧縮符号情報の内、重要性の高い圧縮符号情報（以下、主圧縮符号情報と呼ぶ）をエラー耐性の高いブランキング期間で伝送することで、この課題解決を図った。なお、その他の圧縮符号情報（以下、副圧縮符号情報と呼ぶ）は、圧縮画像データと同様、有効期間で伝送する。以下、この実施例を、図面を用いて説明する。
【実施例１】
【００１７】
以下、本実施例による画像伝送装置および画像受信装置の実施形態について説明する。【００１８】
図１は、本実施例の画像伝送システムを示すブロック図であり、画像送信装置１００と画像受信装置２００をケーブル３００で接続した構成である。【００１９】
画像送信装置１００は、画像データを伝送する画像送信装置であり、デジタル放送を受信し視聴できるようにデコードした画像データや、記録媒体に記録された画像データ、カメラなどで撮影した画像データをＨＤＭＩケーブルなどにより、他の機器に出力する機器である。画像送信装置１００の一例として、レコーダ、レコーダ機能を内蔵したデジタルＴＶ、レコーダ機能を内蔵したパソコン、カメラ機能やレコーダ機能を搭載した携帯電話、カムコーダなどがある。【００２０】
画像受信装置２００は、ＨＤＭＩケーブル等を使用して、画像データを入力しモニタに画像を出力する表示機器である。画像受信装置２００の一例として、デジタルＴＶや、ディスプレイ、プロジェクタ、携帯電話、サイネージ機器などがある。【００２１】
ケーブル３００は、画像送信装置１００と画像受信装置２００の機器間で画像データ等のデータ通信を行うデータ伝送路である。ケーブル３００の一例として、ＨＤＭＩ規格や、DisplayPort規格に対応した有線ケーブルもしくは、無線方式のデータ通信を行うデータ伝送路などがある。【００２２】
まず、画像送信装置１００の構成について説明する。
入力部１０１、１０２、１０３は、画像データを画像送信装置１００に入力するための入力部である。入力部１０１に入力され、チューナー受信処理部１０５で処理される画像データの一例としては、放送局または放送用衛星などの中継局からの電波として入力されるデジタル放送がある。入力部１０１には、この放送局または放送用衛星などの中継局からの電波が入力される。【００２３】
入力部１０２に入力され、ネットワーク受信処理部１０６で処理される画像データの一例としては、インターネットのブロードバンド接続を利用して、ネットワーク経由で配信されてくるデジタル放送や、情報コンテンツなどがある。【００２４】
入力部１０３に入力され、記録メディア制御部１０７で処理される画像データの一例としては、入力部１０３に接続された外部の記録メディアに記録されているコンテンツがある。また、記録メディア制御部１０７で処理される映像データの一例としては、画像送信装置１００内に内蔵された記録メディア１０８に記録されているコンテンツもある。入力部１０３に接続された外部の記録メディア、もしくは画像送信装置１００内に内蔵された記録メディア１０８の一例としては、光ディスク、磁気ディスク、半導体メモリなどがある。【００２５】
チューナー受信処理部１０５は、入力された電波をビットストリームに変換する受信処理部であり、ここでＲＦ帯域（Radio Frequency）の電波はＩＦ帯域 (Intermediate Frequency) に周波数変換され、受信チャネルに依存しない一定の帯域の信号として、復調されたビットストリームに伝送のために施された変調操作を復調する。【００２６】
ビットストリームの一例としては、ＭＰＥＧ２トランスポートストリーム(以降ＭＰＥＧ２−ＴＳとする)や、ＭＰＥＧ２−ＴＳに準じたフォーマットのビットストリーム等がある。以降のビットストリームは、ＭＰＥＧ２−ＴＳを代表として説明を行う。【００２７】
前記チューナー受信処理部１０５は、さらに伝送途中で発生した符合の誤りを検出し訂正し、誤り訂正されたＭＰＥＧ２−ＴＳにつきスクランブルの解除を行った後、視聴もしくは記録を行うプログラムが多重化されている１トランスポンダ周波数を選択し、この選択した１トランスポンダ内のビットストリームを１プログラムのオーディオとビデオのパケットに分離化する。【００２８】
前記チューナー受信処理部１０５からのＭＰＥＧ２−ＴＳは、データバス１８１を介してストリーム制御部１１１に供給される。ストリーム制御部１１１は、前記チューナー受信処理部１０５においてパケットを受信した時の間隔を保時する為に、受信したパケット内から時刻管理情報であるＰＴＳ(Presentation Time Stamp)と、ＭＰＥＧシステムの基準復号器内部のＳＴＣ(System Time Clock)を検出し、検出結果により補正したタイミングでタイムスタンプを付加する。【００２９】
前記タイムスタンプを付加したパケットをデコーダ部１１２もしくは、記録メディア制御部１０７のどちらか一方、または双方に供給する。デコーダ部１１２へのデータパス１９４は画像データを視聴する時の処理に用いられ、記録メディア制御部１０７へのデータパス１９３は、画像データを記録メディアに記録する時に用いられる。【００３０】
前記ストリーム制御部１１１のデータバス１９２は、入力部１０２からネットワーク受信処理部１０６経由で入力されるＭＰＥＧ２−ＴＳが入力される。前記データパス１９２は、ネットワーク経由で配信されてくるデジタル放送もしくはデジタルコンテンツを取得する入力部である。【００３１】
さらに入力部１０３に接続された外部の記録メディア、もしくは画像送信装置１００内に内蔵された記録メディア１０８に記録されているデジタル放送もしくはデジタルコンテンツは、記録メディア制御部１０７によりＭＰＥＧ２−ＴＳとして読み出され、データバス１９３を介して前記ストリーム制御部１１１へ入力される。前記ストリーム制御部１１１は、これらの入力のうち少なくとも1つ以上を選択し、デコーダ部１１２に出力する。【００３２】
デコーダ部１１２は、前記ストリーム制御部１１１から入力されたＭＰＥＧ２−ＴＳをデコードし、生成した画像データを表示処理部１１３に出力する。表示処理部１１３は、入力された画像データに対して、例えばＯＳＤ（On Screen Display）の重畳処理や、回転、拡大もしくは縮小処理、フレームレート変換処理を施した後、圧縮処理部１１４に出力する。【００３３】
圧縮処理部１１４は、表示処理部１１３からの画像データに圧縮処理を施し、データ転送部１１５に出力する。【００３４】
データ転送部１１５は、圧縮処理部１１４で圧縮された画像データ（以後、圧縮画像データと呼ぶ）を伝送に適した形式の信号に変換して出力部１１６から出力を行う。画像データの伝送に関して、ケーブル伝送に適した形式の信号の一例がＨＤＭＩ規格に記載されている。ＨＤＭＩにおいて、画像データは、ＴＭＤＳ方式のデータ伝送フォーマットが採用されている。【００３５】
入力部１０４は、画像送信装置１００の動作を制御するための信号を入力するための入力部である。入力部１０４の一例として、リモコンから送信される信号の受信部や、装置本体に備え付けられたボタンなどがある。入力部１０４からの制御信号は、ユーザーＩＦ１０９に供給される。前記ユーザーＩＦ１０９は、入力部１０４からの信号を制御部１１０に出力する。制御部１１０は、入力部１０４の信号に従い、画像送信装置１００全体を制御する。制御部１１０の一例としては、マイクロプロセッサなどがある。画像送信装置１００からの画像データは、ケーブル３００を介して画像受信装置２００に供給する。【００３６】
次に画像受信装置２００の構成について説明する。
入力部２０１は、ケーブル伝送に適した形式の信号が入力される。前記入力部２０１に入力された信号は、データ受信処理部２０５に供給される。【００３７】
データ受信処理部２０５は、ケーブル伝送に適した形式の信号から所定のデジタルデータに変換する処理を施し、伸張処理部２０６に変換したデジタルデータを出力する。【００３８】
伸張処理部２０６は、前記画像送信装置１００内の圧縮処理部１１４で施した圧縮処理を伸張し、画像データを生成し、表示処理部２０７に出力する。【００３９】
表示処理部２０７は、入力された画像データに対して表示処理を施す。表示処理の一例としては、ＯＳＤ重畳処理、表示部２０８の解像度に変換するための拡大もしくは縮小処理、回転処理、フレームレート変換処理などがある。表示処理部２０７の出力は表示部２０８に出力する。【００４０】
表示部２０８は、入力された画像データを表示方式にあわせた信号に変換し画面に表示する。表示部２０８の一例として、液晶ディスプレイや、プラズマディスプレイや、有機ＥＬ（Ｅｌｅｃｔｒｏ−Ｌｕｍｉｎｅｓｃｅｎｃｅ)ディスプレイ、プロジェクタ投影ディスプレイなどの表示部がある。【００４１】
入力部２０２は、画像受信装置２００の動作を制御するための信号を入力するための入力部である。入力部２０２の一例として、リモコンから送信される信号の受信部や、装置本体に備え付けられたボタンなどがある。入力部２０２からの制御信号は、ユーザーＩＦ２０３に供給される。前記ユーザーＩＦ２０３は、入力部２０２からの信号を制御部２０４に出力する。制御部２０４は、入力部２０２の信号に従い、画像受信装置２００全体を制御する制御部である。【００４２】
図２は、1フレーム期間の画像データが伝送される有効領域と画像データが伝送されないブランキング期間を示す図である。【００４３】
４００で示す領域が垂直期間を示し、垂直期間４００は、垂直ブランキング期間４０１と垂直有効期間４０２から構成される。ＶＳＹＮＣ信号は、垂直ブランキング期間４０１の先頭から規定されたライン数の間を１とし、その他の垂直ブランキング期間と垂直有効期間４０２の間は０とした１ｂｉｔの信号である。規定されたライン数の一例としては、４ラインなどがある。【００４４】
４０３で示す領域が水平期間を示し、水平期間４０３は、水平ブランキング期間４０４と水平有効期間４０５から構成される。ＨＳＹＮＣ信号は、水平ブランキング期間４０４の先頭から規定された画素数の間を１とし、その他の水平ブランキング期間と水平有効期間４０５の間は０とした１ｂｉｔの信号である。規定された画素数の一例としては、４０画素がある。【００４５】
有効期間４０６は、垂直有効期間４０２と水平有効期間４０５の期間に囲まれた領域を示し、この期間に画像データが割り当てられる。また、ブランキング期間４０７は、垂直ブランキング期間４０１と水平ブランキング期間４０４の期間に囲まれた領域である。【００４６】
本実施例においては、上記構成において、有効期間４０６に圧縮画像データと副圧縮符号情報を送信し、ブランキング期間４０７に主圧縮符号情報を送信する。【００４７】
ブランキング期間４０７は、音声データやその他の付属データをパケット化したデータを伝送している。【００４８】
この音声データ等のパケットをブランキング期間４０７で信頼性のあるパケットを送る方法は、例えば特表２００５−５１４８７３号公報に開示されている。【００４９】
この構成で、ブランキング期間のパケットのデータに対しては誤り訂正符号が入っているため、伝送路で発生したエラーに対して補正ができエラー耐性が強くなる。また、ブランキング期間のパケットのデータ伝送用のデータは、物理的に異なる２つのチャンネルに伝送する構成とし、一定時間ごとに伝送するチャンネルを切り替えているため、片側のチャンネルでバースト的に発生したエラーに対して、他方のチャンネルが影響されないため、データエラーの補正を行うことができる。エラーの訂正率は、水平有効期間が１０−９に対して、水平ブランキング期間は１０−１４の改善効果がある。【００５０】
この例では、有効期間４０６では１クロック当り２４ｂｉｔの画像データを伝送し、ブランキング期間４０７では３ｂｙｔｅのヘッダと２８ｂｙｔｅのデータで構成される１パケットを３２クロック期間で伝送している。【００５１】
例えば、水平３８４０有効画素、垂直２１６０有効ライン、ＹＣｂＣｒ輝度色差信号の各１２ｂｉｔを４４４フォーマット、フレーム周波数６０Ｈｚで伝送する場合、８９１ＭＨｚと非常に高いクロック周波数が必要となる。高クロック周波数は送受信部のコストがかかるだけでなく、画像を安定に送ることができるケーブル長も短くなり使い勝手が悪くなる。【００５２】
本実施例によれば、２／３の圧縮で５９４ＭＨｚ、１／３の圧縮で２９７ＭＨｚと、実用的なクロック周波数に近づけることができる。また、ＹＣｂＣｒ輝度色差信号の各８ｂｉｔの４４４フォーマットや、各１２ｂｉｔの４２２フォーマットにおいては、１／２の圧縮で２９７ＭＨｚの実用的なクロック周波数にすることができる。【００５３】
水平３８４０有効画素、垂直２１６０有効ラインにおいて、例えば、水平ブランキング期間は水平５６０ブランキング画素、垂直ブランキング期間は垂直９０ブランキングラインになる。以下、水平３８４０有効画素、垂直２１６０有効ライン、ＹＣｂＣｒ輝度色差信号の各１２ｂｉｔを４４４フォーマット、フレーム周波数６０Ｈｚの映像信号を１／３に圧縮する場合を例にとって説明する。【００５４】
圧縮後のクロック周波数は２９７ＭＨｚで、水平１９４０有効画素、垂直２１６０有効ライン、水平２８０ブランキング画素、垂直９０ブランキングラインという条件で伝送すると、受信側で２倍の周波数である原クロック５９４ＭＨｚを安定に再生しやすい。水平有効画素期間では、１画素当りＹＣｂＣｒ輝度色差信号の各１２ｂｉｔ計３６ｂｉｔを１／３の１２ｂｉｔに圧縮すれば、圧縮後の１画素当り２４ｂｉｔ伝送できるので原画素の２画素分の伝送が可能となり、圧縮後のクロック周波数は原クロックの半分となる。【００５５】
３２クロック当り１パケットが伝送できるので、圧縮後の水平２８０ブランキング画素では最大８パケットの伝送が可能となる。一方、音声データは１パケット当り２４ｂｉｔ×８ｃｈの伝送ができる。画像データの水平周波数は１３５ｋＨｚ（＝６０Ｈｚ×（２１６０＋９０））なので、１９２ｋＨｚサンプルの２４ｂｉｔリニアＰＣＭ音声を８ｃｈ伝送する場合は１水平ブランキング期間中に最大２パケット必要である。残りの６パケット、１６８ｂｙｔｅ(=２８ｂｙｔｅ×６パケット）以内で圧縮符号方式情報を記述できることが望ましい。【００５６】
一方、前述した３２画素を単位ブロックとして圧縮する場合、水平３８４０有効画素なので１２０ブロック分のＹＣｂＣｒ輝度色差信号の各圧縮符号方式情報、計３６０個分の記述スペースが必要である。主圧縮符号情報を例えば３ｂｉｔで表現すると、１３５ｂｙｔe分の記述スペースとなり、５パケットで伝送できるので、１９２ｋＨｚ、８ｃｈの大容量音声データ伝送と両立できる。【００５７】
図３と図４は、圧縮処理部１１４に入力される画像データの一例を示す図である。水平方向にｎ画素、垂直方向にｍラインの輝度信号を示す。色差信号は、４４４フォーマットの場合、輝度信号と同じフォーマットとなる。画素数ｎ及びライン数ｍの一例としては、ｎ＝１９２０、ｍ＝１０８０のいわゆるフルＨＤ画像やｎ＝３８４０、ｍ＝２１６０のいわゆる４ｋ２ｋ画像などがある。【００５８】
ここで、圧縮処理部１１４で圧縮する画像データの単位ブロック（以下、圧縮ブロックと呼ぶ）を、水平方向ｌ画素と垂直方向ｋ画素とする。図３において、５０１および５０２はｌ＝３２、ｋ＝１の例を示し、同じライン内で連続した３２画素のデータで構成する。この画像データの単位で、圧縮処理部１１４は圧縮を行う。【００５９】
図４において、５０３および５０４は、ｌ＝１６、ｋ＝２の例を示し、上下２ライン間で連続する１６画素のデータで構成する。この画像データの単位で、圧縮処理部１１４は圧縮を行う。圧縮処理として、水平圧縮部と垂直圧縮部を有し、垂直方向ｋ画素数（ライン数）が異なるｋ１とｋ２（ｋ１＜ｋ２）の画像データ単位ブロックを用意し、水平圧縮部がｋ１の画像データ単位ブロックを、垂直圧縮部１３４がｋ２の画像データ単位ブロックを圧縮しても良い。【００６０】
圧縮する画像データの単位の一例として、３２画素を例にとって説明したが、６４画素や１２８画素などの単位としてもよい。【００６１】
入力された色差信号が４２２フォーマットの場合は、色差信号のＣｂ成分とＣｒ成分が1画素ごとに入れ子のデータとなる。例えば４ｋ２ｋ画像においてＣｂ成分とＣｒ成分を合わせてｎ＝３８４０、ｍ＝２１６０の画像データとして扱ってもよい。一般にＣｂ成分同士、Ｃｒ成分同士の相関が高いので、Ｃｂ成分とＣｒ成分を分けて、ｎ＝１９２０、ｍ＝２１６０として扱うことにより、同一成分のみで圧縮する画像データの単位ブロックとすることによって、圧縮効率を高めることができる。【００６２】
入力された色差信号が４２０フォーマットの場合は、色差信号のＣｂ成分とＣｒ成分がＹ信号４画素に対して１画素分のデータとなる。例えば４ｋ２ｋ画像においてＣｂ成分とＣｒ成分を合わせてｎ＝１９２０、ｍ＝２１６０の画像データとして扱ってもよい。一般にＣｂ成分同士、Ｃｒ成分同士の相関が高いので、Ｃｂ成分とＣｒ成分を分けて、ｎ＝１９２０、ｍ＝１０８０として扱うことにより、同一成分のみで圧縮する画像データの単位とすることによって、圧縮効率を高めることができる。【００６３】
圧縮符号情報は、主圧縮符号情報と副圧縮符号情報で構成される。主圧縮符号情報と副圧縮符号情報を元に、圧縮画像データから元の画像データへ伸張処理を行うことができる。【００６４】
主圧縮符号情報だけで、簡易な伸張処理または、一部伸張処理を行うことができる。【００６５】
主圧縮符号情報は、副圧縮符号情報に比べて、よりエラー耐性の高い伝送路で伝送する。本実施例では、有効期間４０６に圧縮画像データと副圧縮符号情報を伝送し、ブランキング期間４０７に主圧縮符号情報を伝送する。主圧縮符号情報のブランキング期間４０７での伝送例として、ライン単位で共通の主圧縮符号情報を垂直ブランキング期間４０１で伝送し、同一ライン中の圧縮ブロックに対する主圧縮符号情報を水平ブランキング期間４０４で伝送する方法がある。【００６６】
上記の構成をとることで、伝送エラー率の高い伝送路において、副圧縮符号情報にエラーが発生した場合でも、主圧縮符号情報にエラーが発生する確率は大幅に低下する。このため、伝送エラー率の高い伝送路上で、副圧縮符号情報にエラーが発生した場合、主圧縮符号情報を用いて簡易伸張した画像データまたは一部伸張した画像データをエラー補正に用いることで、表示の乱れを抑制することができる。また、主圧縮符号情報に、圧縮ブロックサイズを含めることで、副圧縮符号情報にエラーが発生した場合、表示の乱れを圧縮ブロック内に抑えることができる。【００６７】
また、圧縮符号情報は、主圧縮符号情報または副圧縮符号情報のみで構成しても良い。【００６８】
圧縮符号情報および圧縮画像データの構成例を図５に示す。【００６９】
本例では、圧縮ブロック６００の単位が、サブ圧縮ブロック６１０、６２０で構成され、各サブ圧縮ブロック６１０、６２０が、画素６１１、６１２、６１３、６１４および、画素６２１、６２２、６２３、６２４で構成されている。【００７０】
圧縮後の圧縮ブロックの構成の一例を６３０に示す。圧縮ブロック６３０は、圧縮符号情報６３１と圧縮画像データ６３２で構成される。圧縮画像データ６３２は、画素データ６１１、６１２、６１３、６１４、６２１、６２２、６２３、６２４を圧縮することで生成される圧縮画像データである。圧縮符号情報６３１は、圧縮処理で生成される情報である。本構成において、圧縮符号情報を有効期間４０６で伝送した場合、伝送エラー率の高い場合には圧縮符号情報に対してもエラーが発生する確率が高くなり、結果、圧縮ブロック単位で表示の乱れが発生し易くなるという課題がある。また、圧縮符号情報をブランキング期間４０７で伝送した場合、有効期間４０６に比べて伝送可能なデータ量が大幅に少なくなるため、圧縮符号情報量の削減が課題となる。【００７１】
圧縮後の圧縮ブロックの構成の別の一例を６４０に示す。本例では、圧縮符号情報を主圧縮符号情報６４１と、副圧縮符号情報６４２、６４４の２種類で構成する。圧縮ブロック６４０は、主圧縮符号情報６４１と、副圧縮符号情報６４２および６４４と、圧縮画像データ６４３および６４５で構成される。圧縮画像データ６４３は、サブ圧縮ブロック６１０に属する画像データ６１１、６１２、６１３、６１４を圧縮することで生成される圧縮画像データである。副圧縮符号情報６４２は、画素データ６１１、６１２、６１３、６１４に対する圧縮処理で生成される情報である。圧縮画像データ６４５は、サブ圧縮ブロック６２０に属する画像データ６２１、６２２、６２３、６２４を圧縮することで生成される圧縮画像データである。副圧縮符号情報６４４は、画素データ６２１、６２２、６２３、６２４に対する圧縮処理で生成される情報である。【００７２】
圧縮後の圧縮ブロックの構成の別の一例を６５０に示す。本例では、圧縮符号情報を主圧縮符号情報６５１と、副圧縮符号情報６５２の２種類で構成する。圧縮ブロック６５０は、主圧縮符号情報６５１と、副圧縮符号情報６５２と、圧縮画像データ６５３で構成される。圧縮画像データ６５３は、圧縮ブロック６００に含まれる画像データ６１１、６１２、６１３、６１４、６２１、６２２、６２３、６２４を圧縮することで生成される圧縮画像データである。主圧縮符号情報６５１および副圧縮符号情報６５２は、圧縮ブロック６００に対する圧縮処理で生成される情報である。【００７３】
圧縮後の圧縮ブロックの構成の別の一例を６６０に示す。本例と、圧縮後の圧縮ブロック６５０との差異は、副圧縮符号情報６６２が、圧縮後の圧縮ブロック６５０における副圧縮符号情報６５２に対してさらに圧縮をかけた情報であるという点である。ここでは図示していないが、主圧縮符号情報６５１に対して更に圧縮をかけることで、伝送データ量の削減を図っても良い。【００７４】
前記圧縮後の圧縮ブロック６４０、６５０、６６０の構成をとった場合、主圧縮符号情報を、副圧縮符号情報よりエラー耐性の高い伝送路で伝送することで、エラー耐性の高い伝送路に伝送するデータ量を抑えつつ、表示画像（復元画像）に対する伝送エラーの影響を抑えることが可能となる。【００７５】
図６は、図５に示す圧縮後の圧縮ブロック６４０、６５０、６６０に対する伝送タイミングの説明図である。７００および７０２は有効期間４０６であり、７０１は水平ブランキング期間４０４である。７１０、７１１、７１２は有効期間７００で伝送される圧縮前の１ライン分の画像データである。本例では、３個の圧縮ブロック７１０、７１１、７１２に対して、圧縮処理を行う。
７３０は、圧縮ブロック７１０、７１１、７１２に対する圧縮処理で生成される主圧縮符号情報である。７３１，７３２，７３３は、圧縮ブロック７１０、７１１、７１２に対する圧縮処理で生成される圧縮ブロックである。圧縮ブロックは、圧縮画像データと、圧縮処理で生成される副圧縮符号情報で構成される。圧縮後の圧縮ブロック７３１の構成の一例として、７４０、７５０、７６０を示す。これらは、それぞれ図５に示すサブ圧縮ブロック６４０、６５０、６６０に対応する。【００７６】
主圧縮符号情報７３０は、有効期間７００、７０２よりもエラー耐性の高い水平ブランキング期間７０１で伝送する。また、画像データ７１０に対する圧縮処理で生成される圧縮画像データと副圧縮符号情報で構成される圧縮後の圧縮ブロック７３１、７３２、７３３は、水平ブランキング期間７０１の次の有効期間７０２で伝送する。なお、主圧縮符号情報の一部または全てを垂直ブランキング期間４０１で伝送しても良い。【００７７】
主圧縮符号情報と副圧縮符号情報の一例を、図２８を用いて説明する。【００７８】
圧縮ブロック９２０の単位が水平３２画素であり、サブ圧縮ブロック９２１、９２２、９２３、９２４の単位が８画素である圧縮処理を行う場合を考える。先頭のサブ圧縮ブロック９２１に対する圧縮符号情報９２６を主圧縮符号情報とし、それ以外の３個のサブ圧縮ブロックに対する圧縮符号情報９２７、９２８、９２９を副圧縮符号情報とする。【００７９】
主圧縮符号情報は、先頭のサブ圧縮ブロック９２１に対する圧縮符号情報９２６と、サブ圧縮ブロック９２１の伸張処理に用いるその他の圧縮符号情報（例えば、各サブ圧縮ブロックに共通の共通圧縮符号情報９２５など）で構成される。【００８０】
副圧縮符号情報は、２番目以降のサブ圧縮ブロック９２２、９２３、９２４に対する圧縮符号情報９２７、９２８、９２９で構成される。【００８１】
本例の構成をとることで、伝送エラー率の高い伝送路上で、副圧縮符号情報にエラーが発生した場合、主圧縮符号情報を用いて伸張した、先頭のサブ圧縮ブロックに属する画像データをエラー補正に用いることで、表示の乱れを抑制することができる。エラー補正の一例として、主圧縮符号情報により伸張した各圧縮ブロックの先頭のサブ圧縮ブロックに属する画像データから、エラーが発生したサブ圧縮ブロックに属する補完画像を生成して表示する方法がある。【００８２】
伝送路の一例として、副圧縮符号情報（図２８（ｃ））と圧縮部出力（図２８（ｄ））を有効期間４０６で伝送し、主圧縮符号情報を、よりエラー耐性の高い水平ブランキング期間４０４で伝送する方法がある。【００８３】
主圧縮符号情報と副圧縮符号情報の別の一例を、図２７を用いて説明する。【００８４】
圧縮ブロック９００の単位が水平３２画素であり、サブ圧縮ブロック９０１、９０２、９０３、９０４の単位が８画素である圧縮処理を行う場合を考える。【００８５】
第一の圧縮部（圧縮部Ａ１３３）では、サブ圧縮ブロック９０１、９０２、９０３、９０４に対してサブ圧縮ブロック単位で第一の圧縮処理を行い、サブ圧縮ブロック単位の副圧縮符号情報（第一圧縮符号情報９０５、９０６、９０７、９０８）と圧縮画像データ（第一圧縮画像データ９０９、９１０、９１１、９１２）を生成する。第二の圧縮部（圧縮部Ｂ１３４）では、入力された４個のサブ圧縮ブロック単位の圧縮画像データ（第一圧縮画像データ９０９、９１０、９１１、９１２）に対して、更に第二の圧縮処理を行い、１個の主圧縮符号情報（第二圧縮符号情報９１４）と圧縮画像データ（第二圧縮画像データ９１４）と圧縮画像データ（第二の圧縮画像データ９１５）を生成する。主圧縮符号情報を、副圧縮符号情報（第一圧縮符号情報９０５、９０６、９０７、９０８）や圧縮画像データ（第二の圧縮画像データ９１５）の伝送路よりもエラー耐性の高い伝送路で伝送することで、伝送エラー率が高い伝送路においても、サブ圧縮ブロック単位までの伸張処理を行うことができ、エラーの影響範囲をサブ圧縮ブロック範囲内に抑えることが可能となる。【００８６】
第二圧縮符号情報９１４に加えて、第一圧縮符号情報９０５、９０６、９０７、９０８で共通な圧縮符号情報９１３を主圧縮符号情報として伝送することで、更にエラー耐性を高めることができる。【００８７】
圧縮符号情報の別の一例として、例えば圧縮ブロック単位が水平３２画素であり、サブ圧縮ブロック単位が８画素であり、サブ圧縮ブロック単位ごとにサイズ情報が付加される圧縮処理を行う場合を考える。サブ圧縮ブロック単位ごとのサイズ情報の総和、すなわち圧縮ブロック単位のサイズ情報を主圧縮符号情報に含め、サブ圧縮ブロック単位ごとにサイズ情報を副圧縮符号情報に含める。主圧縮符号情報を、よりエラー耐性の高い伝送路で伝送することで、伝送エラー率が高い伝送路において、副圧縮符号情報でエラーが発生した場合、主画像符号情報を元に圧縮ブロック単位のサイズを生成し、そのサイズ分、伸張処理を飛ばすことで、次の圧縮ブロックへのエラーの影響を防ぐことができる。【００８８】
エラー耐性の高い伝送路において、伝送可能なデータ量に余裕がある場合には、各サブ圧縮ブロックに対するサイズ情報を全て、主圧縮符号情報として伝送しても良い。この場合、副圧縮符号情報でエラーが発生した場合、主画像符号情報を元にエラーが発生したサブ圧縮ブロックのサイズを生成し、そのサイズ分、伸張処理を行わないことで、他のサブ圧縮ブロックへのエラーの影響を防ぐことができる。【００８９】
図７は、圧縮処理部１１４の構成の一例を示すブロック図である。
入力部１３０は、圧縮処理部１１４へ画像データを入力するための入力部である。【００９０】
入力された画像データは、圧縮部Ａ１３３、圧縮部Ｂ１３４、圧縮部Ｃ１３５に供給される。
圧縮部Ａ１３３、圧縮部Ｂ１３４、圧縮部Ｃ１３５は、入力された画像データに対して、それぞれ異なる圧縮処理を行い、圧縮符号情報と圧縮画像データを生成する。なお、制御信号１３１により指定された圧縮部以外は、圧縮処理を行わないまたは動作クロック自体を止めることで、消費電力を削減することも可能である。【００９１】
圧縮部Ａ１３３、圧縮部Ｂ１３４、圧縮部Ｃ１３５は、圧縮ブロックを構成する複数の画像データに対して、圧縮を行う圧縮回路により構成される。圧縮方式の一例としては、水平方向にＷａｖｅｌｅｔ変換を演算し、その演算結果に対して、符号化した圧縮方式等で構成する。圧縮方式として、アダマール変換や、ランレングス符号化、ハフマン符号化、差分符号化などを適用してもよい。【００９２】
また、別の圧縮方式の一例として、垂直方向の複数の画像データに対して、圧縮を行う圧縮回路により構成される。圧縮方式の一例としては、垂直方向に２ライン分、水平方向に１６画素分の画像データを圧縮する画像データの単位ブロックとして、まず垂直方向に対し差分をとり、次に水平方向に差分をとる。その結果に対して符号化する圧縮方式等で構成する。【００９３】
また、別の圧縮方式の一例として、４４４フォーマットや４２２フォーマットの色差信号が入力された際に、４２２フォーマットや４２０フォーマットに間引く回路により構成される。４４４フォーマットや４２２フォーマットが入力された場合、後述する図８で示す圧縮処理部１１４の構成において、所定の圧縮率を超えた場合には、４２２フォーマットや４２０フォーマットへ間引き処理を行っても良い。【００９４】
ここで、圧縮率とは、圧縮前のデータ量と圧縮後のデータ量の比である。例えば、圧縮前のデータ量が１００、圧縮後のデータ量が３０の場合、圧縮率は３０％となる。したがって、高い圧縮率ほど圧縮後のデータ量が多くなり、画質劣化が少ない。【００９５】
図１０は、圧縮部Ａ１３３の構成の一例を示すブロック図である。【００９６】
入力部１５０は、圧縮部Ａ１３３へ画像データを入力するための入力部である。【００９７】
入力部１５１は、圧縮部Ａ１３３を制御するための制御信号を入力するための入力部である。【００９８】
第一の圧縮部１５３は、入力された画像データに対して圧縮処理を行い、圧縮符号情報と圧縮画像データを生成するブロックである。第一の圧縮部１５３で生成された圧縮符号情報は、圧縮符号情報生成部１５５に供給される。また、第一の圧縮部１５３で生成された圧縮画像データは選択部１５６に供給される。【００９９】
圧縮符号情報生成部１５５は、入力された圧縮符号情報から、主圧縮符号情報と副圧縮符号情報を生成するブロックである。圧縮符号情報生成部１５５は、生成した主圧縮符号情報と副圧縮符号情報を一時的に記憶するメモリを有してもよい。【０１００】
選択部１５６は、第一の圧縮部１５３から供給された圧縮画像データと、圧縮符号情報生成部１５５から供給された主圧縮符号情報および副圧縮符号情報を選択して出力するブロックである。【０１０１】
図１１は、圧縮部Ａ１３３の構成の別の一例を示すブロック図である。【０１０２】
入力部１６０は、圧縮部Ａ１３３へ画像データを入力するための入力部である。【０１０３】
入力部１６１は、圧縮部Ａ１３３を制御するための制御信号を入力するための入力部である。【０１０４】
第一の圧縮部１６３は、入力された画像データに対して第一の圧縮処理を行い、副圧縮符号情報と圧縮画像データを生成するブロックである。第一の圧縮部１６３で生成された副圧縮符号情報は、選択部１６６に供給される。また、第一の圧縮部１６３で生成された圧縮画像データは、第二の圧縮部１６４に供給される。【０１０５】
第二の圧縮部１６４は、入力された圧縮画像データに対して第二の圧縮処理を行い、主圧縮符号情報と圧縮画像データを生成するブロックである。第二の圧縮部１６４で生成された主圧縮符号情報および圧縮画像データは、選択部１６６に供給される。【０１０６】
選択部１６６は、第一の圧縮部１６３から供給された副圧縮符号情報と、第二の圧縮部１６４から供給された主圧縮符号情報および圧縮画像データを選択して出力するブロックである。【０１０７】
本例の構成により、図２７で示す２段階の圧縮処理を行うことが可能となる。また、本例では、２つの圧縮部を例にとり説明したが、３段階以上の圧縮部を設けてもよい。【０１０８】
以上でその動作を説明してきた圧縮部Ａ１３３、圧縮部Ｂ１３４、圧縮部Ｃ１３５の出力が、選択部１３６に供給される。【０１０９】
本例では、３つの圧縮部１３３、１３４、１３５を有する圧縮処理部を用いて説明したが、圧縮部が１個または２個だけ有してもよいし、４個以上の圧縮部を有してもよい。【０１１０】
選択部１３６は、圧縮部Ａ１３３、圧縮部Ｂ１３４、圧縮部Ｃ１３５の内、所定の圧縮率を満たしかつ画質指数の高いものを選択し、エラー訂正符号生成部１３７に供給する。画質指数とは、例えば、圧縮画像データを復元した画像データと圧縮前の画像データの差異が小さいほど良い値を示す指数がある。圧縮ロスが発生せず、可逆符号化ができた場合が最高値である。画質指数の計算を簡略化するため、圧縮方式別に画質指数の値を用意しておいてもよい。４４４フォーマットのまま圧縮して圧縮ロスが発生する場合よりも、４２２フォーマットへ間引き後に可逆符号化できた場合を高い画質指数に定義してもよい。圧縮によって逆にデータ量が増加してしまう場合は、４２２フォーマットや４２０フォーマットに間引いて圧縮や、量子化ｂｉｔ数を減らすことによって所定の圧縮率を達成させるが、その間引きや量子ｂｉｔ数減に応じた画質指数を設定する。【０１１１】
また、入力部１３１から入力される制御信号によって、圧縮部Ａ１３３、圧縮部Ｂ１３４、圧縮部Ｃ１３５の何れか１つの動作を有効にして、その他２つは動作を停止しても良い。この場合、選択部１３６には、入力部１３１から、動作が有効である圧縮部を示す制御情報を入力する。選択部１３６は、該制御情報を元に、動作が有効である圧縮部の出力信号をエラー訂正符号生成部１３７に出力する。【０１１２】
エラー訂正符号生成部１３６は、圧縮部Ａ１３３、圧縮部Ｂ１３４、圧縮部Ｃ１３５で圧縮された画像データ（圧縮画像データ）の単位ごとにエラー訂正符号を演算し、圧縮画像データに付加して、メモリ制御部１３９に出力する。エラー訂正の方式の一つとして、ＣＲＣ（Cyclic Redundancy Check）方式やパリティチェック方式などがある。【０１１３】
データ伝送容量に応じて、エラー訂正符号を付加するか否かを判別しても良い。ケーブルのデータ伝送容量が限られている場合、エラー訂正符号を付与すると画素又は階調をより多く間引くことになり、画面全体の画質劣化につながるためである。伝送容量に余裕があれば圧縮画像データにエラー訂正符号を付加して、エラー耐性を向上させてもよい。圧縮画像データへのエラー訂正付加有無のメタデータを合せて伝送することによって、受信側でエラー訂正処理をするかどうかを判別させてもよい。また、適用する圧縮方式によってエラー訂正処理を変えてエラー耐性レベルを変えてもよいし、どのエラー訂正符号を付与したかを示す情報をメタデータとして加えてもよい。また、エラー訂正処理を行わず、入力データをそのまま出力してもよい。【０１１４】
メモリ制御部１３９は、エラー符号生成部１３７から供給される圧縮画像データと主圧縮符号情報と副圧縮符号情報を一時的にメモリ部１４０に蓄積する。また、副圧縮符号情報と圧縮画像データを、メモリ部１４０から読み出して、有効期間４０６に出力する。また、主圧縮符号情報をメモリ部１４０から読み出して、圧縮画像データを出力する有効期間４０６の直前の水平ブランキング期間４０４に出力する。また、別の方式としては、１ライン分のエラー訂正符号付の圧縮画像データ、主圧縮符号情報および副圧縮符号情報のいずれも、１ライン分の有効期間４０６内に伝送して伝送量の増大を図ってもよい。また、エラー訂正符号を主圧縮符号情報に含めて、水平ブランキング期間４０４に出力することで、エラー訂正の信頼性を向上させてもよい。【０１１５】
出力部１３２は、前記メモリ制御部１３９からの圧縮画像データと、主圧縮符号情報と、副圧縮符号情報が出力される。図示していないが、図７の各ブロックは、図１の制御部１１０の制御信号に従ってその動作を制御される。【０１１６】
図１２は、エラー訂正符号生成部１３６の構成の一例を示すブロック図である。入力部１７０には圧縮画像データが入力される。圧縮画像データは、保持部１７５とエラー訂正符号演算部１７３に入力される。エラー訂正符号演算部１７３は、入力された圧縮画像データに対して、生成多項式で巡回演算をする。
生成多項式の一例としては、【０１１７】
（数１）G(X)=X16+X12+X5+1
がある。この生成多項式は、入力された圧縮画像データ中の各ビットにつき排他的論理和をとり巡回演算する。演算の単位は圧縮画像データの単位とする。【０１１８】
入力部１７１は、圧縮画像データが入力されている期間を示す信号が入力され、タイミング生成部１７４に供給される。タイミング生成部１７４は、圧縮画像データの有効期間をカウントし圧縮する画像データの単位ブロック分の演算が処理されたことを示す信号をエラー訂正演算結果出力タイミング信号として、データ保持部１７５に出力する。さらに、タイミング生成回路１７４は、圧縮画像データの入力期間を示すタイミング信号や、圧縮画像データとエラー訂正符号演算結果を出力するタイミング信号なども合せてデータ保持部１７５に出力する。【０１１９】
データ保持部１７５は、タイミング生成部１７４の示すタイミングに従って、エラー訂正符号演算部１７３の演算結果と圧縮画像データを例えばメモリやフリップフロップ、遅延素子等によって一時的に記憶し、それらを順次、出力部１３２へ出力する。【０１２０】
図１３は、データ転送部１１５の構成の一例を示すブロック図である。
入力部１８０は、圧縮画像データをシリアライザ部１８４に出力する。また入力部１８１は、画像データのクロックが入力され、ＰＬＬ１８６と出力部１８２に出力する。【０１２１】
画像データのクロックには、非圧縮画像データの標準的なタイミングフォーマットで使われる画素クロックに同期したクロックを用いる。例えば、非圧縮画像データの画素クロックを２分周したクロックを用いてもよい。この場合、該非圧縮画像データが１２ｂｉｔｓの量子化画像データである場合は、クロックで１／２、量子化ｂｉｔ数で８／１２となるので、前記した所定の圧縮率は１／３以下を設定する必要がある。クロックは２分周以外に、３／４逓倍や２／３逓倍としてもよい。非圧縮画像データの画素クロックに同期したクロックを圧縮画像データの伝送に使うことにより、受信側で非圧縮画像データを復元する場合に、伝送クロックの２倍や４／３倍、３／２倍などの逓倍したクロックを画素クロックとして使うことにより。復元データのジッタを最小化できる利点がある。【０１２２】
ＰＬＬ１８６は、入力されたクロックに対して逓倍化もしくは分周したクロックを生成する。逓倍化の一例としては、入力されたクロックの周波数に対して、５倍や１０倍などがある。ＰＬＬ１８６で生成するクロックは、1種類のクロックとしてもよいし、２種類のクロックとしてもよい。1種類のクロックの例としては、入力されたクロックの１０逓倍がある。また２種類のクロックの例としては、データ伝送量を優先した第１のクロック速度と、エラーの発生頻度を下げることを優先した第1のクロック速度より遅い速度の第２のクロック速度のクロックがある。速度の一例としては前記第1のクロック速度を入力クロックの１０逓倍、第２のクロック速度を入力クロックの５逓倍などがある。【０１２３】
ＰＬＬ１８６で生成した逓倍したクロックをシリアライザ部１８４に出力する。【０１２４】
シリアライザ１８４は、入力されたＹＣｂＣｒ輝度色差信号の圧縮画像データを、１０逓倍したクロックで１ｂｉｔずつシリアル化し、レベル変換部１８５に出力する。入力部１８１に入力された１クロックに対して、入力部１８０に入力されるデータが８ｂｉｔある場合、該８ｂｉｔデータを１０ｂｉｔにマッピングしてシリアル化したビットストリームのＤＣ成分を抑圧するＴＭＤＳ伝送方法などを用いてもよい。出力部１７６に接続されるケーブルが３本ある場合は、各ケーブル毎に上記シリアル処理を行うことによって、入力クロック当り２４ｂｉｔの圧縮画像データを送ることができる。【０１２５】
レベル変換部１８５は、ケーブル伝送に適した形式の信号を出力部１８２経由で出力する。【０１２６】
図８は、圧縮処理部１１４の構成の別の一例を示すブロック図である。【０１２７】
メモリ制御部１４２は、エラー符号生成部１３７から供給される圧縮画像データと主圧縮符号情報と副圧縮符号情報を一時的にメモリ部１４０に蓄積する。また、副圧縮符号情報と圧縮画像データを、メモリ部１４０から読み出して、有効期間４０６に出力する。また、主圧縮符号情報をメモリ部１４０から読み出して、圧縮画像データを出力する有効期間４０６の直前の水平ブランキング期間４０４に出力する。さらに、圧縮画像データを、メモリ部１４０から読み出して、選択部１４１へ供給することができる。【０１２８】
選択部１４１は、入力部１３０から入力される画像データと、メモリ制御部１４２から供給される圧縮画像データ１４３のいずれかを選択して、圧縮部Ａ１３３、圧縮部Ｂ１３４、圧縮部Ｃ１３５に供給するブロックである。また、入力部１３０から入力される画像データを所定の圧縮部へ出力すると共に、圧縮画像データ１４３を別の圧縮部へ出力してもよい。本例の構成により、図２７で示す２段階の圧縮処理を行うことが可能となる。また、さら３段階以上の圧縮処理を行なってもよい。【０１２９】
図９は、圧縮処理部１１４の構成の別の一例を示すブロック図である。【０１３０】
選択部１３８は、エラー符号生成部１３７から供給される主圧縮符号情報と副圧縮符号情報をメモリ制御部１４５に出力し、エラー符号生成部１３７から供給される圧縮画像データを選択部１４４に出力する。【０１３１】
メモリ制御部１４５は、選択部１３８から供給される主圧縮符号情報と副圧縮符号情報を一時的にメモリ部１４０に蓄積する。また、副圧縮符号情報を、メモリ部１４０から読み出して、選択部１４４を介して後述する有効期間４０６に出力する。また、主圧縮符号情報をメモリ部１４０から読み出して、選択部１４４を介して、副圧縮符号情報を出力する有効期間４０６の直前の水平ブランキング期間４０４に出力する。【０１３２】
選択部１４４は、選択部１３８から供給される圧縮画像データと、メモリ制御部１４５から供給される主圧縮符号情報と副圧縮符号情報を選択して、出力部１３２に出力するブロックである。【０１３３】
本例において、選択部１３８が、副圧縮符号情報を、圧縮画像データと共に、メモリ制御部１４５を介さず、直接選択部１４４に出力してもよい。この場合、メモリ制御部１４５は主圧縮符号情報に対するメモリ書き込みおよび読み出し処理を行う。本例の構成をとることで、送信機１００側のメモリ部１４０が有するメモリ量を少なく抑えることができる。【０１３４】
図１４〜図１７に主圧縮符号情報の一部を伝送するパケットの一例を示す。【０１３５】
図１４と図１６がパケットのヘッダの一例であり、最初のヘッダブロックＨＢ０に本発明の圧縮符号化伝送方式に関する情報であることを示す共通のヘッダタイプ０Ｂｈを記述する。ＨＢ１の各ｂｉｔとＨＢ２のＢｉｔ４〜７は将来拡張用として０としている。ＨＢ２のＢｉｔ０〜３に示すＥｃｏ＿Ｐａｃｋｅｔ＃がフレーム内での識別を示している。図１５と図１７がヘッダに続けて伝送される２８ｂｙｔｅのデータの一例である。【０１３６】
図１４のヘッダにおいて、Ｅｃｏ＿Ｐａｃｋｅｔ＃は０ｈを割り当て、図１４のヘッダと図１５のデータから構成されるパケットが各フレーム内の共通情報（主圧縮符号情報）であることを示す。このパケットは垂直ブランキング期間中に配置され、各画像フレームに少なくとも１回送信される。以下、図１５のデータの内容を説明する。【０１３７】
Ｃｏｌｏｒ＿Ｓａｍｐｌeは、カラーサンプル情報を示し、例えば０がＹＣｂＣｒ輝度色差信号で４４４フォーマット（以後、ＹＣｂＣｒ４４４と呼ぶ）、１がＹＣｂＣｒ輝度色差信号で４２２フォーマット（以後、ＹＣｂＣｒ４２２と呼ぶ）、２がＹＣｂＣｒ輝度色差信号で４２０フォーマット（以後、ＹＣｂＣｒ４２０と呼ぶ）、３がＲＧＢ信号で４４４フォーマット（以後、ＲＧＢ４４４と呼ぶ）を示し、４〜７は将来拡張用である。４２２フォーマットや４２０フォーマットではさらにＣｂＣｒのサンプル位置情報を示すＢｉｔを追加で割り当ててもよい。【０１３８】
Ｅｃｏ＿Ｍｅｍは、後述する図１６および図１７で示す主圧縮符号情報の一部を伝送するパケットを、圧縮画像データを伝送する有効期間４０６の直前の水平ブランキング期間に伝送する場合には０とし、圧縮画像データを伝送する有効期間４０６の直後の水平ブランキング期間に伝送する場合には１としている。【０１３９】
ＣＤはＣｏｌｏｒ  Ｄｅｐｔｈであり、例えば４ｈは各ＹＣｂＣｒ成分８ｂｉｔの計２４ｂｉｔ Ｃｏｌｏｒ、５ｈは各ＹＣｂＣｒ成分１０ｂｉｔの計３０ｂｉｔ Ｃｏｌｏｒ、６ｈは各ＹＣｂＣｒ成分１２ｂｉｔの計３６ｂｉｔ Ｃｏｌｏｒ、７ｈは各ＹＣｂＣｒ成分１６ｂｉｔの計４８ｂｉｔ Ｃｏｌｏｒを示し、その他は将来拡張用である。この定義はＨＤＭＩが既定するＤｅｅｐ  Ｃｏｌｏｒ  Ｍｏｄｅの定義に準じている。【０１４０】
Ｅｃｏ＿ＦＬＭは、フレーム内の全ブロックの圧縮符号方式が同一である場合に１とし、ブロック毎に設定する場合を０としている。１の場合は、後述するＥｃｏ−ＣＤ０とＥｃｏ−ＣＤ１、Ｅｃｏ−ＣＤ２にそれぞれＹ、Ｃｂ、Ｃｒの圧縮符号方式を記述する。【０１４１】
ＣＫ＿ＮとＣＫ＿Ｍは、その比（ＣＫ＿Ｎ／ＣＭ＿Ｍ）が、非圧縮画像データの画素クロックと、圧縮後のデータを伝送する通信路のクロック例えばＴＭＤＳクロックとの周波数比を示す。例えばＣＭ＿Ｎ＝１でＣＫ＿Ｍ＝２であれば、４ｋ２ｋの場合の非圧縮画像データの画素クロック５９４ＭＨｚに対して伝送系のＴＭＤＳクロックは１／２の２９７ＭＨｚとなる。【０１４２】
Ｅｃｏ＿Ｂｌｏｃｋは圧縮ブロックを構成する画素数を示している。【０１４３】
Ｅｃｏ＿ＣＤ０〜Ｅｃｏ＿ＣＤ３は、各画像データ単位ブロックに適用する圧縮符号化情報の候補を４種類示すものである。図１８に一例を示すように、圧縮する画像データ単位の圧縮符号情報Ｅｃｏ＿Ｃｏｄｅから４種類を選択する。【０１４４】
図１６のヘッダと図１７のデータからなるパケットは、各水平ブランキング期間に１個以上伝送される。図１６のヘッダ中のＥｃｏ＿Ｐａｃｋｅｔ＃は、各ラインに伝送される本パケットのシリアル番号を示すものであり、１から始まり順次１ずつ増やしていく。【０１４５】
Ｅｃｏ＿ｌeｎｇｔｈ＿０〜Ｅｃｏ＿ｌeｎｇｔｈ＿３９は、有効期間４０６を伝送する圧縮ブロックのサイズ情報を示している。サイズ情報の一例としては、圧縮ブロックのビットサイズ、バイトサイズがある。また、圧縮ブロックのビットサイズ、バイトサイズの元となる情報でも良い。例えば、圧縮ブロックサイズＳ＿Ｂｌｏｃｋが３２bｉｔから６４bｉｔまでの２飛びの値をとる場合、以下の式で圧縮ブロックのビットサイズを定義する方法がある。
（数２）Ｓ＿Ｂｌｏｃｋ＝３２  ＋（２×Ｅｃｏ＿ｌeｎｇｔｈ＿＃  ）（＃は０〜３９）
上記例では、Ｅｃｏ＿ｌeｎｇｔｈ＿＃は４bｉｔとなる。【０１４６】
Ｅｃｏ＿ｌeｎｇｔｈ＿＃は、Ｙ、Ｃｂ、Ｃｒ毎に規定しても良いし、ＹとＣｂとＣｒの圧縮ブロックサイズを足し合わせた値で規定しても良い。後者の場合、Ｅｃｏ＿ｌeｎｇｔｈ＿＃の伝送量を１／３に削減することができる。【０１４７】
圧縮ブロック単位に規定される圧縮符号情報は、副圧縮符号情報として、圧縮画像データと共に、有効期間４０６中に伝送する。副圧縮符号情報の種類としては、Ｅｃｏ＿Ｅｒｒｏｒ＿０〜３９やＣｏｄｅ＿０〜Ｃｏｄｅ＿３９がある。【０１４８】
Ｅｃｏ＿Ｅｒｒｏｒ０〜Ｅｃｏ＿Ｅｒｒｏｒ３９は、エラー符号化方式を示している。エラー符号化方式は、エラー訂正符号生成部１３６において、有効期間４０６に伝送するデータに対して演算するエラー訂正符号化の方式である。エラー訂正符号化方式の一つとして、ＣＲＣ（Cyclic Redundancy Check）方式やパリティチェック方式などがある。【０１４９】
Ｃｏｄｅ＿０〜Ｃｏｄｅ＿３９は、図１５のＥｃｏ＿ＣＤ０〜Ｅｃｏ＿ＣＤ３で記述した４種類の圧縮符号化情報から選択した番号を、各画像データ単位ブロックにおいて、各Ｙ、Ｃｂ，Ｃｒ成分を順番に記述する。例えば、最初の画像データ単位ブロックのＹ成分の圧縮符号情報を示すＣｏｄｅ＿０が１であれば、Ｅｃｏ＿ＣＤ１を指す。Ｅｃｏ＿ＣＤ１が１０を示していれば、図１８から原画像のデータの４４４フォーマットＹ成分を差分符号化方式で圧縮したデータであることを示している。【０１５０】
図４に示した垂直２ラインを画像データ単位ブロックとする場合は、１ライン目のＣｏｄｅ＿０が画像データ単位ブロック５０３の圧縮符号情報を、２ライン目のＣｏｄｅ＿０が画像データ単位ブロック５０４の圧縮符号情報を示す。【０１５１】
図１５のＣｏｌｏｒ＿Ｓａｍｐｌeが４４４フォーマットを示している場合は、Ｃｏｄｅ＿１は、第１画像データ単位ブロックのＣｂの圧縮符号情報、Ｃｏｄｅ＿２は第１画像データ単位のＣｒの圧縮符号情報、Ｃｏｄｅ＿３は第２画像データ単位ブロックのＹの圧縮符号情報を示す。Ｃｏｌｏｒ＿Ｓａｍｐｌeが４２０フォーマットを示している場合は、Ｃｏｄｅ＿１は、第２画像データ単位ブロックのＹの圧縮符号情報、Ｃｏｄｅ＿２は第１と第２画像データ単位のＣｂ（偶数ラインではＣｒ）の圧縮符号情報、Ｃｏｄｅ＿３は第３画像データ単位ブロックのＹの圧縮符号情報を示す。Ｃｏｌｏｒ＿Ｓａｍｐｌｅが４２２フォーマットを示している場合は、Ｃｏｄｅ＿１は、第１と第２画像データ単位ブロックのＣｂの圧縮符号情報、Ｃｏｄｅ＿２は第第２画像データ単位のＹの圧縮符号情報、Ｃｏｄｅ＿３は第１と第２画像データ単位ブロックのＣｂの圧縮符号情報を示す。【０１５２】
また、Ｃｏｄｅ＿０が０であれば、Ｅｃｏ＿ＣＤ０を指し、Ｅｃｏ＿ＣＤ０が６を示していれば図１８から、原画像のデータの４４４フォーマット各Ｙ、Ｃｂ、Ｃｒ成分１２ｂｉｔデータを４２０フォーマット８ビットに間引いていることを示している。この場合は、Ｙ成分のＣｏｄｅ＿０のみでＣｂとＣｒの伝送形態が決まる為、Ｃｂ成分を示すＣｏｄｅ＿１やＣｒ成分を示すＣｏｄｅ＿２の情報は不要であり、０を記述しておくよい。【０１５３】
さて、図１に図示していないが、画像受信装置２００には画像受信装置２００の性能を示すＥＤＩＤ（Enhanced Extended Display Identification Data）を格納したＲＯＭが搭載されている。このＲＯＭの中に画像受信装置２００が圧縮伸張に対応しているか否かを判別する情報を付加してもよい。これにより、画像伝送装置１００は、画像受信装置２００のＥＤＩＤを格納したＲＯＭから、圧縮伸張に対応しているか否かを判別する情報を読出し、対応している装置であれば、圧縮した画像データを伝送し、非対応の装置であれば、圧縮せず従来のサイズで画像を送信することにより、圧縮処理に非対応の画像受信装置とも互換性を保つことができる。また、有効期間４０６に圧縮符号情報を伝送するためのエラー訂正符号化方式に対応しているか否かを判別する情報を読出し、対応している装置であれば、エラー訂正符号化処理を行い、圧縮符号情報として伝送し、非対応の装置であれば、エラー訂正符号化処理を行わずに送信することにより、圧縮処理に非対応の画像受信装置とも互換性を保つことができる。また、非対応の装置の場合、ブランキング期間４０７におけるパケットのエラー訂正機能を用いて伝送エラーに対する耐性を高めても良い。また、画像受信装置が圧縮に非対応であり、従来の画像サイズであることや、エラー訂正符号化に非対応の旨を表示部２０８に表示することにより、ユーザーに通知することがきる。【０１５４】
このＥＤＩＤの記述例を図１９に示す。図１９は、ＨＤＭＩ−ＶＳＤＢと称される領域へ拡張した例を示している。【０１５５】
６Ｂｙｔｅ目のＢｉｔ２に本実施例の圧縮符号化伝送方式への対応可否を示すＥｃｏ＿ｔｒａｎｓｆｅｒフラグを設ける。本領域は予約領域として扱われてきたので、非対応のレガシー機器では０と記載されており、対応機器のみ１と記載することによって後方互換性を維持できる。このＥｃｏ＿ｔｒａｎｓｆｅｒフラグが１の場合、Ｂｙｔｅ９とＢｙｔｅ１０の記述が有効となる。【０１５６】
Ｂｌｏｃｋ＿６４とＢｌｏｃｋ＿１２８は、圧縮する画像データ単位ブロックの大きさがそれぞれ６４画素、１２８画素に対応することを示すフラグである。画像データ単位ブロックの大きさ３２画素は本圧縮画像データ伝送対応における必須モードと定義して、ＥＤＩＤ記述スペース節約のため、あえて表記していない。【０１５７】
Ｅｃｏ−Ｃｏｄｅ１〜４は、それぞれ、図１８に一例を示した圧縮符号化方式、Ｗａｖｅｌｅｔ変換、ランレングス符号化、ハフマン符号化、差分符号化に対応していることを示すフラグである。【０１５８】
ＣＬＫ＿１、ＣＬＫ＿３／４、ＣＬＫ＿１／２は、それぞれ非圧縮画像データクロックに対する、ＴＭＤＳ伝送クロックの周波数が１倍、３／４倍、１／２倍となるモードに対応していることを示すフラグである。【０１５９】
Ｅｃｏ＿Ｅｒｒｏｒ＿１〜４は、それぞれに規定されたエラー符号化方式に対応している場合には１を、非対応の場合には０となるフラグである。【０１６０】
Ｅｃｏ＿Ｍｅｍは、主圧縮符号情報が、圧縮画像データを伝送する有効期間４０６の直前の水平ブランキング期間に伝送する場合に対応している場合には１とし、圧縮画像データを伝送する有効期間４０６の直後の水平ブランキング期間に伝送する場合には２としている。３は共に対応している場合を示し、０はどちらにも対応していない場合を示す。【０１６１】
また、画像伝送装置１００を携帯機器として使用する場合に、バッテリー駆動の装置となるため、画像伝送装置１００の消費電力が連続使用時間に影響する。この場合、画像データを圧縮して伝送しデータ伝送量を下げ、消費電力を低減できる。この効果は、画像伝送装置１００の動作モードとして、例えば「省電力モード」などの機能を付加し、外部から電源が供給されている場合は、非圧縮の画像データで伝送し、バッテリーで駆動されている場合は、画像データを圧縮して伝送することにより、連続使用時間を長く設定することができる。【０１６２】
図２０は、データ受信処理部２０５の構成の一例を示すブロック図である。
入力部２２０は、画像送信装置１００のレベル変換部１７５にて変換された信号をレベル変換部２２に出力する。【０１６３】
レベル変換部２２４は、画像送信装置１００でレベル変換された信号をデジタル信号に変換しデシリアライザ部２２５に出力する。レベル変換の一例としては、差動信号のシングルエンド信号への変換がある。
入力部２２１は、画像送信装置１００から出力されたクロックを入力しＰＬＬ２２６に出力する。ＰＬＬ２２６は、入力されたクロックの１０倍のクロックを生成し、デシリアライザ部２２５に出力する。またＰＬＬ２２６は、画像受信装置２００内で使用する画素クロックを出力部２２２から出力する。原画像の非圧縮画像データの画素クロックを画像表示装置２００内で用いる場合は、入力クロックを図１３のパケットデータに基づき、ＰＬＬ２２６が（ＣＫ＿Ｍ／ＣＫ＿Ｎ）倍に逓倍したクロックを出力部２２３から出力する。【０１６４】
デシリアライザ部２２５は、シリアル化されたデータをＰＬＬ２２６からのクロックでパラレル化し、出力部２２２から出力する。デシリアライザ部２２５は、１０倍のクロックのデータをパラレル化して所定の例えばＴＭＤＳ復号により８ｂｉｔパラレルデータとして出力部２２２から出力する。【０１６５】
図２１は、伸張処理部２０６の構成の一例を示すブロック図である。また、図２６は、図４に示す圧縮ブロックに対する伸張処理部２０６の処理概念を示すタイミング説明図である。
入力部２３０は、伸張処理部２０６のデータ入力部である。入力部２３０に入力されるデータには、画像データの同期信号を示すＨＳＹＮＣ（図２６（ａ））およびＶＳＹＮＣと、有効期間４０６に圧縮画像データおよび副圧縮符号情報８１２と８１４、水平ブランキング期間４０４に主圧縮符号情報８１１と８１３がある。入力部２３１には復元後の非圧縮画像データの画素クロックや、圧縮画像データクロック等が入力される。【０１６６】
ＨＳＹＮＣ、ＶＳＹＮＣ、圧縮画像データクロックと復元後の非圧縮画像データの画素クロックは、タイミング生成部２３６に供給される。タイミング生成部２３６は、入力されたＨＳＹＮＣ、ＶＳＹＮＣによりカウンタを制御し、垂直ブランキング期間４０１、垂直有効期間４０２、水平ブランキング期間４０４、水平有効期間４０５、有効期間４０６などのタイミングを始め、伸張処理部内の各ブロックの制御に必要なタイミングを生成し出力する。【０１６７】
圧縮符号情報抽出部２３３は、水平ブランキング期間に送られてくる各画像データ単位ブロックの圧縮符号情報を抽出して圧縮符号情報記憶部２３４に記憶させる。【０１６８】
その記憶期間を図２６（ｃ）に示す。主圧縮符号情報８１１は、続く圧縮画像データ８１２に対応したデータであるので、同情報を２ライン目の主圧縮符号情報８１３が来るまでの記憶期間８１５で十分である。しかし、例えば２ラインの画像データを垂直圧縮させている場合は、垂直伸張用圧縮符号情報８１６だけは２ライン目の圧縮画像データを伸張させる期間まで保持させる必要がある。【０１６９】
水平有効期間内に送られてくる圧縮画像データはエラー訂正部２３５で伝送系のエラー訂正処理を行う。  エラー訂正部２３５は、圧縮画像データ単位ごとに、エラー訂正符号生成部１３７と同じエラー訂正符号を演算する。前記演算結果と圧縮符合情報抽出部２３３から入力されるエラー訂正符号とを比較し、比較結果が異なっている場合は、エラー訂正処理を行う。エラー訂正処理の一例としては、ＣＲＣ演算がある。また、エラー検出のみを行い以降の処理でエラーを補間してもよい。【０１７０】
入力された圧縮画像データは、伸張部A２３７、伸張部B２３８、伸張部C２３９に供給される。
伸張部A２３７、伸張部B２３８、伸張部C２３９は、圧縮符号情報記憶部２３４の情報を基に、入力された圧縮画像データに対して、それぞれ異なる伸張処理を行い、伸張された画像データを生成し、選択部２６１へ出力する。【０１７１】
図２６（ｄ）（ｅ）は、図４に示す圧縮ブロックに対して、伸張部Ａ２３７で水平伸張処理、伸張部Ｂ２３８で垂直伸張処理を行った場合の各伸張部の出力データを示す。水平伸張画像データ８１８および８１９は伸張部Ａ２３７の出力データ、垂直伸張画像データ８２０および８２１は伸張部Ｂ２３７の出力データを示す。【０１７２】
選択部２６１は、圧縮符号情報記憶部２３４の情報に基づき、入力部２３０へ入力される画像データと、伸張部A２３７の出力と、伸張部B２３８の出力と、伸張部C２３９の出力とを適宜選択して、復元画像データ８２４として、出力部２３２へ出力する（図２６（ｆ））。【０１７３】
図２５は、図３に示す圧縮ブロックに対して、伸張部Ａ２３７で水平伸張処理を行った場合の伸張処理部２０６の処理概念を示すタイミング説明図である。【０１７４】
入力部２３０は、伸張処理部２０６のデータ入力部である。入力部２３０に入力されるデータには、画像データの同期信号を示すＨＳＹＮＣ（図２６（ａ））およびＶＳＹＮＣと、有効期間４０６に圧縮画像データおよび副圧縮符号情報８０２と８０４、水平ブランキング期間４０４に主圧縮符号情報８０１と８０３がある。入力部２３１には復元後の非圧縮画像データの画素クロックや、圧縮画像データクロック等が入力される。【０１７５】
圧縮符号情報抽出部２３３は、水平ブランキング期間に送られてくる各画像データ単位ブロックの圧縮符号情報を抽出して圧縮符号情報記憶部２３４に記憶させる。【０１７６】
その記憶期間を図２５（ｃ）に示す。主圧縮符号情報８０１は、続く圧縮画像データ８０２に対応したデータであるので、同情報を２ライン目の主圧縮符号情報８０３が来るまでの記憶期間８０５で十分である。【０１７７】
入力された圧縮画像データは、伸張部A２３７にて水平伸張処理されて、伸張された画像データである水平伸張画像データ８０６および８０７を生成し、選択部２６１へ出力する（図２５（ｄ））。【０１７８】
選択部２６１は、圧縮符号情報記憶部２３４の情報に基づき、入力部２３０へ入力される画像データと、伸張部A２３７の出力と、伸張部B２３８の出力と、伸張部C２３９の出力とを適宜選択して、復元画像データ８０８および８０９として、出力部２３２へ出力する（図２５（ｆ））。【０１７９】
図２２は、伸張処理部２０６の構成の一例を示すブロック図である。本例は、副圧縮符号情報を、水平ブランキング期間４０４ではなく、有効期間４０６内の圧縮画像データと一緒に伝送する方式を採用した場合の伸張処理部の一例である。【０１８０】
有効期間４０６内に送るべきデータが圧縮画像データだけでなく圧縮符号情報も一緒に送る場合、圧縮方式によっては、圧縮画像データの圧縮率を下げざるを得なければならない場合があり、この場合、復元時の画像の画質劣化が大きくなる懸念がある。その対策として、水平ブランキング期間を、音声データ伝送パケット２個分を送れる程度まで縮小し、水平有効期間を広げる。４ｋ２ｋ画像データを非圧縮画像の画素クロック５９４ＭＨｚの半分の２９７ＭＨｚクロックで伝送する場合、実施例１では、水平有効期間１９２０、水平ブランキング期間２８０であった。音声パケット２個分の伝送期間と前後のガードバンドを含めて水平ブランキング期間は９６程度あればよいので、残り１８４を水平有効期間を増やせる。水平有効期間１９２０を約９．５％程度拡大できる効果がある。【０１８１】
本例の場合、水平同期信号の位置や幅などが所定の非圧縮画像データの標準タイミングからずれる為、受信側で非圧縮画像データ再生時に、画像データに付与されているＳＶＤ（Short Video Descriptor）メタデータを参考にして、標準タイミングフォーマットとなるようタイミングを復元するとよい。【０１８２】
図２２では、図２１と同様な機能を持つブロックには同じ番号を付している。その差異は、エラー訂正回路２５５の出力部に第２の映像符号情報抽出部２５０が加わっている点である。
図２１の例では、圧縮符号情報抽出部２３３は垂直ブランキング期間内の圧縮符号情報（図１４と図１５のパケット）と、水平ブランキング期間内の圧縮符号情報（図１６と図１７のパケット）を抽出していた。本例では、圧縮符号情報抽出部２３３は垂直ブランキング期間または水平ブランキング期間に伝送される主圧縮符号情報のみ抽出し、圧縮符号情報記憶部２３４で記憶する。【０１８３】
本例では、圧縮符号情報がブランキング期間内でエラー訂正処理が施されているパケットで送る代わりに、他の圧縮画像データと同様なエラー訂正処理を加えている。このため、第２の圧縮符号情報抽出部２５０から出力されるエラー訂正部２５５のエラー訂正処理後の主圧縮符号情報と、圧縮符号情報記憶部２３４から出力される副圧縮符号情報を、伸張部A２３７、伸張部B２３８、伸張部C２３９、選択部２５１へ出力している。【０１８４】
本例では、圧縮画像データと圧縮符号情報がタイミング的に近接しているので、１水平周期に渡る圧縮符号情報記憶は、フレーム内共通の圧縮符号情報を除いて不要となるので、回路規模を削減できる効果がある。【０１８５】
図２３は、伸張処理部２０６の構成の別の一例を示すブロック図である。【０１８６】
図２３では、図２１と同様な機能を持つブロックには同じ番号を付している。その差異は、各伸張部の前段に、選択部２６０が加わっている点である。【０１８７】
選択部２６１は、圧縮符号情報記憶部２３４の情報に基づき、入力部２３０へ入力される画像データと、伸張部A２３７の出力と、伸張部B２３８の出力と、伸張部C２３９の出力とを適宜選択して、出力部２３２へ出力する。選択部２６１は、さらに、伸張部A２３７の出力と、伸張部B２３８の出力と、伸張部C２３９の出力のいずれかを選択して、選択部２６０に出力することができる。本構成の方式を採用することで、入力部２３０に入力される圧縮画像データに対して、２方式以上の伸張処理を行うことができる。【０１８８】
また、図示していないが、伸張部A２３７の出力と、伸張部B２３８の出力と、伸張部C２３９の出力のいずれかを選択して、圧縮符号情報記憶部２３４に出力してもよい。この構成をとることで、例えば、図５の圧縮された副圧縮符号情報６６０の伸張処理を行うことができる。【０１８９】
図２４は、伸張処理部２０６の構成の別の一例を示すブロック図である。図２４では、図２２と同様な機能を持つブロックには同じ番号を付している。その差異は、入力部２３０の後段に記憶部２７０が加わっている点である。【０１９０】
選択部２７１は、図２２で示した選択部２５１の機能に加えて、選択したデータを記憶部２７０に出力する機能を有する。記憶部２７０は、入力部２３０から入力される主圧縮符号情報、副圧縮符号情報、圧縮画像データ、および選択部２７１から供給される伸張データを一時的に記憶し、後段のブロックへ供給するブロックである。このような構成とすることで、入力部２３０に入力されるデータに対して、複数段の伸張処理が可能となる。１段の伸張処理のみの場合には、選択部２７１から記憶部２７０へのデータ供給はなくてもよい。【０１９１】
この構成をとることで、例えば、図８や図１１で示す方法で圧縮された圧縮画像データに対する伸張処理を行うことが可能となる。
【実施例２】
【０１９２】
以下、実施例１に記載の画像伝送装置および画像受信装置の別の実施形態について説明する。【０１９３】
図２９はシリアライザ１８４の入力および出力波形の一例を示す図である。シリアライザ１８４は、入力されたＹＣｂＣｒ輝度色差信号の画像データ（以後、ＹＣｂＣｒ画像データと呼ぶ）、またはＲＧＢ信号の画像データ（以後、ＲＧＢ画像データと呼ぶ）に対する圧縮画像データを、１０逓倍したクロックで１ｂｉｔのデータ３本に各々シリアル化し、レベル変換部１７５に出力する。【０１９４】
シリアル化の例としては、８ｂｉｔのＹＣｂＣｒ輝度色差信号またはＲＧＢ信号の画像データを１０逓倍のクロックで先頭からＭＳＢもしくはＬＳＢの順で出力する。【０１９５】
レベル変換部１８５は、標準化されたデータ転送フォーマットに変換した信号を出力部１８２経由で出力する。標準化されたデータ転送フォーマットの一例としては、ＴＭＤＳ方式の差動レベルの信号形式などがある。この形式において画像のブランキング期間では、画像データを送信する必要がないため、シリアライザ１８４でシリアル化するデータを１０逓倍のクロック中の４ｂｉｔ分のみ使用し、残りの６ｂｉｔを使用しないことにより、伝送エラーに対して強度を増し、画像データ以外のデータを転送することができる。また、２種類のクロックを使用することにより、ＰＬＬ１８６で生成するクロックについて画像データを送信するクロックの１／２以下に落とすことにより、同じ効果を得ることができる。【０１９６】
図３０は、シリアライザ１８４のデータ構成の一例を示す図である。シリアライザ１８４の出力は３系統あり、そのうちの１系統は同期信号（HSYNC,VSYNC）、パケットヘッダと固定ｂｉｔで構成される。残りの２系統を使用してデータを転送する構成となる。パケットのサイズは、転送クロックで３２サイクル分とする。【０１９７】
図３１は、水平ブランキング期間に重畳した音声データのパケット構成の一例を示す図である。音声パケットは、シリアライザにデータ転送する２系統の同一ｂｉｔを使用して７Ｂｙｔｅのデータを生成し、前記データに対してパリティチェックなどの誤り訂正符号を付けてサブパケットを構成する。前記サブパケットを４系統とパケットヘッダ４Ｂｙｔｅのフォーマットで水平ブランキング期間のパケットを構成する。【０１９８】
この構成で、サブパケットのデータに対しては誤り訂正符号が入っているため、伝送路で発生したエラーに対して補正ができエラー耐性が強くなる。また、サブパケットのデータ転送用のデータは、物理的に異なる２つのチャンネルにより千鳥に構成しているため、片側のチャンネルでバースト的に発生したエラーに対して、他方のチャンネルが影響されないため、データエラーの補正を行うことができる。エラーの訂正率は、水平有効期間が１０−９に対して、水平ブランキング期間は１０−１４の改善効果がある。【０１９９】
圧縮画像のエラー訂正符号を上記エラー耐性の高いパケットとして伝送すると良い。伝送できるパケット数の例を、水平期間の画素数が２２００、水平有効期間の画素数が１９２０であった場合について説明する。なお、画像形式は、ＹＣｂＣｒ４２２を例に説明する。【０２００】
圧縮する画像のサイズを６４画素（輝度３２画素、色差３２画素）とすると、１ライン当たり６０個のエラー訂正符号（２Ｂｙｔｅ）のサイズは１２０Ｂｙｔｅ必要となる。【０２０１】
１パケット当たり２８Ｂｙｔｅ転送できる容量があるため、５パケットあれば転送できるサイズとなる。水平ブランキング期間は２８０画素あるため、８パケットは重畳可能である。この構成により音声パケットに１９２ｋＨｚ  ８ｃｈ  ＬＰＣＭ音声伝送として最大２パケット与えたとしても、前述のエラー訂正符号最大５パケットを水平期間に送信することが可能となる。【０２０２】
データ転送部１１５に入力されたＲＧＢ画像データに対する圧縮画像データを、圧縮ブロック単位で、それぞれ決められたＴＭＤＳチャンネルに出力する場合、圧縮ブロック間で、圧縮画像データの非伝送期間が発生する。ライン単位で考えた場合、非圧縮時と比較して、水平有効期間を大幅に削減することができないという課題がある。【０２０３】
図３２は、データ転送部１１５に入力されたＲＧＢ画像データに対する圧縮画像データを、ＴＭＤＳチャンネル０、ＴＭＤＳチャンネル１、ＴＭＤＳチャンネル２に出力する場合の各チャネルにおける出力波形の一例である。【０２０４】
本実施例では、ＲＧＢ画像データに対して、Ｒ、Ｇ、Ｂ各成分毎に圧縮処理を行い、それぞれＲ圧縮画像データ、Ｇ圧縮画像データ、Ｂ圧縮画像データが生成される場合について説明する。図中のＣＲ０とＣＲ１はそれぞれサブ圧縮ブロックにおける圧縮画像データであり、圧縮ブロックは、ＣＲ０とＣＲ１で構成される。ＣＲ２は次の圧縮ブロックの先頭サブブロックである。ＣＧ０，ＣＧ１，ＣＧ２，ＣＢ０，ＣＢ１，ＣＢ２についても前記ＣＲ０、ＣＲ１、ＣＲ２と同様である。【０２０５】
本実施例では、ＴＭＤＳチャンネル０に、Ｒ圧縮画像データをビット単位で詰めて伝送を行うことにより、サブ圧縮ブロック、圧縮ブロック間における、圧縮画像データの非伝送期間を削減することが可能となる。【０２０６】
図３５は、データ転送部１１５に入力されたＲＧＢ画像データに対する圧縮画像データを、ＴＭＤＳチャンネル０、ＴＭＤＳチャンネル１、ＴＭＤＳチャンネル２に出力する場合の各チャネルにおける出力波形の別の一例である。【０２０７】
本実施例では、サブ圧縮ブロック１３００，１３０１，１３０２，１３０５，１３０６，１３０９，１３１０が、８ｂｉｔで割り切れない場合には、終端にスタッフィングデータ１３０３、１３０４、１３０７、１３０８、１３１１を付加することで、サブ圧縮ブロック先頭ｂｉｔが常にチャネルの先頭ｂｉｔに位置するようにしている。これにより、画像受信装置側でのサブ圧縮ブロックの受信回路を簡略化することが可能となる。本例では、サブ圧縮ブロック単位でスタッフィングデータを付加したが、図３６に示すように、圧縮ブロック単位で行っても良い。【０２０８】
図３２および図３５で説明した実施例では、データ転送部１１５に入力されたＲＧＢ画像データに対する圧縮画像データを、それぞれ決められたＴＭＤＳチャンネルに出力するため、伝送される圧縮画像データが占める伝送帯域は、圧縮後のデータ量が最も多いＴＭＤＳチャンネルに制限され、有効期間が長くなるという課題がある。【０２０９】
図３３は、データ転送部１１５に入力されたＲＧＢ画像データに対する圧縮画像データの各成分であるＲ圧縮画像データ、Ｇ圧縮画像データ、Ｂ圧縮画像データを、ＴＭＤＳチャンネル０、ＴＭＤＳチャンネル１、ＴＭＤＳチャンネル２に出力する場合の各チャネルにおける出力波形の別の一例である。【０２１０】
本実施例では、サブ圧縮ブロック単位で、Ｒ圧縮画像データ、Ｇ圧縮画像データ、Ｂ圧縮画像データの順に、ＴＭＤＳチャンネル０、ＴＭＤＳチャンネル１、ＴＭＤＳチャンネル２に順次、インタリーブして出力する。ここでは、Ｒ圧縮画像データＣＲ０が１８ｂｉｔ、Ｇ圧縮画像データＣＧ０が３７ｂｉｔ、Ｂ圧縮画像データＣＢ０が８ｂｉｔ、Ｒ圧縮画像データＣＲ１が２０ｂｉｔ、Ｇ圧縮画像データＣＧ１が１８ｂｉｔ、Ｂ圧縮画像データＣＢ１が１４ｂｉｔの場合を例にとっている
上記出力方式とすることで、データ転送部１１５に入力されたＲＧＢ画像データに対する圧縮画像データを、３つのＴＭＤＳチャンネルに平均的に伝送することができるため、圧縮画像データを伝送するための有効期間を短くすることができる。本例では、サブ圧縮ブロック単位でＲＧＢ順に出力したが、図３４に示すように、圧縮ブロック単位で行っても良い。【０２１１】
図３７は、データ転送部１１５に入力されたＹＣｂＣｒ４４４の画像データに対する圧縮画像データを、ＴＭＤＳチャンネル０、ＴＭＤＳチャンネル１、ＴＭＤＳチャンネル２に出力する場合の各チャネルにおける出力波形の別の一例である。ＹＣｂＣｒ４４４の画像データの各成分に対するデータ量の比率は、Ｙ画像データ、Ｃｂ画像データ、Ｃｒ画像データで同一である。なお、ＹＣｂＣｒ４２２の画像データの各成分に対するデータ量の比率は、Ｙ画像データが２に対して、Ｃｂ画像データ、Ｃｒ画像データがそれぞれ１となる。【０２１２】
１５００は、圧縮処理部１１４に入力される画像データである。１５０１、１５０２、１５０３は、それぞれＹ画像データ、Ｃｂ画像データ、Ｃｒ画像データに対する圧縮処理により生成される圧縮画像データの各成分であるＹ圧縮画像データ（輝度圧縮画像データ）、Ｃｂ圧縮画像データ（Ｃｂ色差圧縮画像データ）、Ｃｒ圧縮画像データ（Ｃｒ色差圧縮画像データ）である。【０２１３】
色差（ＣｂおよびＣｒ）成分に比べて、輝度（Ｙ）成分に対する感度が高いという人間の視覚特性から、Ｙ成分に対する圧縮率を、Ｃｂ成分およびＣｒ成分に対する圧縮率よりも高くして、Ｙ成分の圧縮画像データ（以後、Ｙ圧縮画像データと呼ぶ）のデータ量に比べて、Ｃｂ成分の圧縮画像データ（以後、Ｃｂ圧縮画像データと呼ぶ）のデータ量およびＣｒ成分の圧縮画像データ（以後、Ｃｒ圧縮画像データと呼ぶ）のデータ量を、より削減することが可能である。【０２１４】
本実施例では、画像データの各成分に対する伝送優先度が高い画像データに対して高い圧縮率で圧縮処理を行う一例を示している。【０２１５】
具体的には、Ｙ圧縮画像データの伝送優先度を、Ｃｂ圧縮画像データおよびＣｒ圧縮画像データの伝送優先度よりも高くし、データ伝送部１１５からの出力ビット幅として、Ｙ圧縮画像データに１２ｂｉｔ、Ｃｂ圧縮画像データに６ｂｉｔ、Ｃｒ圧縮画像データに６ｂｉｔを割り当てる。【０２１６】
Ｙ圧縮画像データ１５０１、Ｃｂ圧縮画像データ１５０２、Ｃｒ圧縮画像データ１５０３を、それぞれＴＭＤＳチャンネル０（８ｂｉｔ／サイクル）、ＴＭＤＳチャンネル１（８ｂｉｔ／サイクル）、ＴＭＤＳチャンネル２（８ｂｉｔ／サイクル）に出力する場合、伝送される圧縮画像データが占める伝送帯域は、圧縮後のデータ量が最も多いＴＭＤＳチャンネル０に制限されてしまい、有効期間が長くなる。【０２１７】
１５０５、１５０６、１５０７、１５０８、１５１１は、Ｃｂ圧縮画像データ（６ｂｉｔ／サイクル）およびＣｒ圧縮画像データ（６ｂｉｔ／サイクル）に比べて、Ｙ圧縮画像データにより多くのチャンネル（１２ｂｉｔ／サイクル）を割り当てた場合の出力データの一例である。上記出力方式とすることで、圧縮画像データを伝送するための有効期間を短くすることができる。【０２１８】
なお、出力ビット幅の割当は、制御部１１０からデータ伝送部１１５に対して指示される。または、制御部から指示される画像フォーマット（例えば、ＹＣｂＣｒ４４４など）に応じて、あらかじめ決められた配分比率で、データ伝送部１１５が割り振っても良い。配分比率については、制御部１１５から設定可能としても良い。【０２１９】
本実施例では、画像データがＹＣｂＣｒ４４４の場合を例に説明したが、ＲＧＢ信号などその他の画像信号においても、それぞれの圧縮画像データに伝送優先度をつけて出力伝送路（例えば、ＴＭＤＳチャネル０、１、２）への出力ビット幅を割り当てても良い。例えば、画像データがＲＧＢ信号の場合、Ｇ成分に対する伝送優先度を、Ｒ成分およびＢ成分に対する伝送優先度よりも高くする方法がある。具体的には、Ｇ成分に対する出力ビット幅として１２ｂｉｔを割当て、Ｒ成分およびＢ成分に対する出力ビット幅として、それぞれ６ｂｉｔを割り当てる方法がある。【０２２０】
また、画像データがＹＣｂＣｒ４４４の場合における伝送優先度の別の一例として、４：２：２成分に、残りの色差成分よりも高い伝送優先度を割り当てる方法がある。具体的には、４：２：２に対する出力ビット幅として２０ｂｉｔを割当て、残りのＣｂ成分とＣｒ成分に４ｂｉｔを割り当てる方法がある。【０２２１】
図３８は、データ転送部１１５に入力されたＹ圧縮画像データ１６０１、Ｃｂ圧縮画像データ１６０２、Ｃｒ圧縮画像データ１６０３を、ＴＭＤＳチャンネル０、ＴＭＤＳチャンネル１、ＴＭＤＳチャンネル２に出力する場合の各チャネルにおける出力波形の別の一例である。なお、１６００は、圧縮処理部１１４に入力される画像データである
本実施例では、ＴＭＤＳチャンネル０のｂｉｔ４、ｂｉｔ５，ｂｉｔ６，ｂｉｔ７および、ＴＭＤＳチャンネル１のｂｉｔ０、ｂｉｔ１、ｂｉｔ６、ｂｉｔ７が、その他のｂｉｔに比べて伝送エラー率が低い場合を考える。【０２２２】
１６０４、１６０５、１６０６、１６０７、１６０８、１６０９は、ＴＭＤＳチャネルの伝送エラー率の低いｂｉｔに、Ｙ圧縮画像データを割り当てた場合の出力データの一例である。上記出力方式とすることで、Ｙ圧縮画像データに対するエラー発生率を低くすることが可能となる。【０２２３】
なお、本実施例では、Ｃｂ圧縮画像データを１６０２、１６０５、１６０７に割り当てており、Ｃｒ圧縮画像データを１６０３、１６０９に割り当てている。【０２２４】
なお、伝送エラー率の情報は、制御部１１０からデータ伝送部１１５に供給される。または、伝送エラー率を元に、制御部でＹ圧縮画像データ、Ｃｂ圧縮画像データ、Ｃｒ圧縮画像データのＴＭＤＳチャンネルへのｂｉｔ割り振りを指定しても良い。本実施例では、ＹＣｂＣｒ輝度色差信号を例に説明したが、ＲＧＢ信号などその他の画像形式においても、それぞれの圧縮画像データに優先度をつけてＴＭＤＳチャンネルへのｂｉｔ割当をしても良い。【０２２５】
また、各成分の前記伝送優先度は、各成分毎の圧縮率としても良い。この場合、高い圧縮率の成分に対しては、割り当てる出力ビット幅を大きくし、低い圧縮率の成分に対しては、割り当てる出力ビット幅を小さくする。一例として、ＹＣｂＣｒ４４４の各成分（Ｙ、Ｃｂ、Ｃｒ）に対する圧縮率を、８０％、４０％、４０％とした場合、伝送優先度を、それぞれ２、１、１とする方法、または各成分（Ｙ、Ｃｂ、Ｃｒ）の出力ビット幅を、それぞれ１２ｂｉｔ、６ｂｉｔ、６ｂｉｔとする方法がある。
【実施例３】
【０２２６】
以下、実施例１に記載の画像伝送装置および画像受信装置の別の実施形態について説明する。【０２２７】
本実施例では、主圧縮符号情報を、図３０で示した水平ブランキング期間４０６におけるパケット領域で伝送する。パケット領域であるがパケット構造をとらず、各チャネル４ビットデータを伝送するものとする。また、副圧縮符号情報１７４０を、有効期間で伝送する。【０２２８】
図３９は、主圧縮符号情報１７００を水平ブランキング期間４０６で伝送する際の、データ転送部１１５の出力データ構成の一例を示す図である。  
本構成とすることで、有効期間での伝送に比べて主圧縮符号情報１７００を伝送する際のエラー耐性を強化することができる。しかし、伝送エラー率が高い伝送路上を伝送する場合、更なるエラー耐性の強化が課題となる。【０２２９】
図４０は、主圧縮符号情報１７００と同一の主圧縮符号情報１７１０を、水平ブランキング期間に、同一伝送路で伝送する場合の一例である。本実施例では、主圧縮符号情報１７００の直後に主圧縮符号情報１７１０を出力する。なお、主圧縮符号情報１７１０は、主圧縮符号情報１７００の直後でなくても良い。上記構成とすることで、主圧縮符号情報の冗長性を高め、伝送エラー率が高い伝送路上でも、主圧縮符号情報に高い伝送エラー耐性を持たせることが可能となる。なお、本実施例での冗長度とは、追加で伝送する主圧縮符号情報の数である。本実施例での冗長度は１とする。【０２３０】
図４１は、主圧縮符号情報１７００と同一の主圧縮符号情報１７２０を、水平ブランキング期間に、異なる伝送路で伝送する場合の一例である。本実施例では、主圧縮符号情報１７２０を、主圧縮符号情報１７００と別のチャネルで伝送することで、伝送エラー率のチャネルばらつきによる伝送エラー耐性の低下を抑止している。【０２３１】
例えば、チャネル０の伝送エラー率が、チャネル１の伝送エラー率よりも高い場合、図４０に示すようにチャネル０に冗長な主圧縮符号情報を割り当てた場合、エラー耐性は低下するが、図４１に示すように複数チャネルで同一の主圧縮符号情報を伝送することで、主圧縮符号情報に対するエラー発生率を平均化することができる。本実施例では、チャネルごとに２つの主圧縮符号情報を割り当てているが、ｂｉｔ毎に割り当てても良い。例えば、チャネル０のｂｉｔ０、ｂｉｔ１と、チャネル１のｂｉｔ０、ｂｉｔ１に主圧縮符号情報１７００を割当て、チャネル０のｂｉｔ２、ｂｉｔ３と、チャネル１のｂｉｔ２、ｂｉｔ３に主圧縮符号情報１７００を割当てる方法がある。また、伝送エラー率の情報に応じて、ビット割り振りを変更しても良い。【０２３２】
図４２は、図４０および図４１の実施例に比べて、冗長度を２に増加した場合の一例を示す図である。主圧縮符号情報１７００と、主圧縮符号情報１７００と同一の主圧縮符号情報１７３０および主圧縮符号情報１７３１を出力する。【０２３３】
伝送エラー率に応じて、主圧縮符号情報の冗長度を増やして伝送路のエラーに対する耐性を高めても良い。【０２３４】
図４３は、図４０および図４１の実施例に比べて、冗長度を２に増加した場合の一例である。主圧縮符号情報１７００と、主圧縮符号情報１７００と同一の主圧縮符号情報１７３０および主圧縮符号情報１７３１を出力する。【０２３５】
伝送エラー率に応じて、主圧縮符号情報の冗長度を増やしても良い。【０２３６】
以上、主圧縮符号情報を水平ブランキング期間で伝送する場合の冗長な主圧縮符号情報の伝送について説明したが、副圧縮符号画像を有効期間で伝送する場合に、副圧縮符号情報と同一の冗長な副圧縮符号情報を、有効期間で伝送することで、副圧縮符号情報のエラー耐性を高めても良い。【０２３７】
図４３は、副圧縮符号情報を、有効期間で伝送する際に、副圧縮符号情報の冗長度を２とした場合の、データ転送部１１５の出力データ構成の一例を示す図である。【０２３８】
本構成とすることで、副圧縮符号情報１７４０を伝送する際のエラー耐性を強化することができる。【０２３９】
伝送エラー率に応じて、主圧縮符号情報の冗長度を増やしても良い。
【実施例４】
【０２４０】
実施例３では、伝送エラー率に応じて、主圧縮符号情報または副圧縮符号情報の冗長度を大きくしたが、追加する冗長な圧縮符号情報を伝送する伝送路の伝送量は限られているという課題がある。【０２４１】
そこで、実施例４では、伝送エラー率に応じて、圧縮率または圧縮方式と、水平ブランキング期間を延長または短縮することで、冗長な圧縮符号情報を伝送する伝送路の伝送量を増加することの可能な方式を採用する。【０２４２】
圧縮率、圧縮方式、水平ブランキング期間の延長／短縮指示、圧縮符号情報の冗長度に関する情報は、制御部１１０から圧縮処理部１１４およびデータ転送部１１５に供給される。【０２４３】
圧縮率、圧縮方式、水平ブランキング期間の延長／短縮指示、圧縮符号情報の冗長度への画像受信装置側の対応状況については、ＥＩＤＩやＣＥＣ通信などにより、画像受信装置から画像送信装置に伝える方法がある。【０２４４】
伝送エラー率に対する、圧縮率、圧縮方式、水平ブランキング期間の延長／短縮指示、圧縮符号情報の冗長度の決定については、制御部１１０が行っても良いし、圧縮処理部１１４、データ転送部１１５が個別に行っても良い。【０２４５】
図４４は、伝送エラー率を３つの範囲に分け、それぞれの範囲における圧縮率と水平ブランキング期間と冗長度の一例を示す図である。伝送エラー率ＥＲがＥＲａを超える場合（伝送エラー率が高い場合）、圧縮率を４０％として、生成される圧縮画像データ量を少なくし、かつ水平ブランキング期間を短縮して、有効期間を延長する。これにより、有効期間で伝送する副圧縮符号情報の伝送可能量を増加することができる。本実施例では、副圧縮符号情報の冗長度を２として、副圧縮符号情報と同一内容の冗長な副圧縮符号情報を２個、有効期間で伝送することで、副圧縮符号情報の伝送エラーに対する耐性を高めている。【０２４６】
伝送エラー率ＥＲがＥＲｂ以下の場合（伝送エラー率が低い場合）、圧縮率を８０％として、生成される圧縮画像データ量を多くして、高画質な映像の伝送を可能とする。また、冗長な圧縮符号情報を挿入しないことで、データの非伝送期間を多くしている。なお、非伝送期間は、有効期間４０６内で圧縮画像データも副圧縮符号情報も伝送されない期間と、ブランキング期間期間４０７内でパケットも主圧縮符号情報も伝送されない期間の合計である。この非伝送期間に対して、クロック停止やより低いクロック周波数での動作を行うことで、省電力化を可能とする。【０２４７】
伝送エラー率ＥＲがＥＲｂよりも大きく、ＥＲａ以下の場合（伝送エラー率が通常の場合）、圧縮率を６０％として、副圧縮符号情報の冗長度を１とすることで、伝送エラー耐性を上げると共に、高画質化を図っている。【０２４８】
図４５は、伝送エラー率を３つの範囲に分け、それぞれの範囲における圧縮率と水平ブランキング期間と冗長度の別の一例を示す図である。伝送エラー率ＥＲがＥＲａを超える場合（伝送エラー率が高い場合）、圧縮率を４０％として、生成される圧縮画像データ量を少なくし、かつ水平ブランキング期間を延長して、水平ブランキング期間を延長する。これにより、水平ブランキング期間で伝送する主圧縮符号情報の伝送可能量を増加することができる。本実施例では、副圧縮符号情報の冗長度を１として、副圧縮符号情報と同一内容の冗長な副圧縮符号情報を１個、有効期間で伝送すると共に、主圧縮符号情報の冗長度を１として、主圧縮符号情報と同一内容の冗長な主圧縮符号情報を１個、水平ブランキング期間で伝送することで、副圧縮符号情報および主圧縮符号情報の伝送エラーに対する耐性を高めている。【０２４９】
図４４および図４５で説明した圧縮率のほか、圧縮方式を変更しても良い。図４６は、伝送エラー率を３つの範囲に分け、それぞれの範囲における圧縮方式と水平ブランキング期間と冗長度の一例を示す図である。伝送エラー率ＥＲによって、圧縮方式を方式Ａ、方式Ｂ、方式Ｃを切り替える。伝送エラー率ＥＲがＥＲaよりも大きい場合、主圧縮符号情報が少なく、冗長度を上げることができる圧縮方式とすることで、伝送エラーに対する耐性を高めることができる。また、高い圧縮率（例えば図４５における圧縮率４０％）が期待できる圧縮方式を適用することで、副圧縮符号情報または主圧縮符号情報の伝送可能量を増加させることが可能となる。【０２５０】
図４４および図４５では、圧縮率を例にとって説明し、図４６では圧縮方式を例にとって説明したが、伝送エラー率によって、圧縮率と圧縮方式の双方を切り替えても良い。【０２５１】
本実施例では、伝送エラーに対する耐性を高めるために、冗長な主圧縮符号情報または冗長な副圧縮符号情報を出力する例で説明したが、伝送エラー率に応じて、エラー符号化方式を切り替えても良い。また、伝送エラー率が高い場合には、図４５で示すように圧縮後の圧縮画像データ量を少なくすると共に、水平ブランキング期間を延長し、副圧縮符号情報の一部を水平ブランキング期間で伝送することで、伝送エラーに対する耐性を高めても良い。【０２５２】
本実施例では、伝送エラー率が所定の値よりも高い場合、低い圧縮率で圧縮処理を行って圧縮画像データを減らす方法、または低い圧縮率に適した圧縮方式を用いて圧縮処理を行って圧縮画像データを減らす方法、または水平ブランキング期間を延長することで主圧縮符号情報に対する伝送路の伝送可能量を増加する方法、または有効期間４０６を延長することで副圧縮符号情報に対する伝送路の伝送可能量を増加する方法について説明したが、音声データを減らして水平ブランキング期間で伝送する音声パケット数を減らす方法を用いても良い。音声データを減らす方法の一例として、非圧縮音声形式から圧縮形式音声に変える方法や、音声チャネル数を６チャネルから２チャネルに削減する方法などがある。
【実施例５】
【０２５３】
実施例４では、伝送エラー率に応じて、圧縮率、水平ブランキング期間および冗長度を大きくしたが、画像データのコンテンツの種類によらず、伝送エラー率に対する、画質とエラー耐性が決められるという課題がある。本実施例では、コンテンツの種類に応じて、縮率、水平ブランキング期間および冗長度を変更することでコンテンツの種類に適した画質と伝送エラー耐性を持たせることが可能となる。なお、本実施例では、伝送エラー率については述べていないが、本実施例に、さらに伝送エラー率に応じた切り替えを行っても良い。【０２５４】
図４７は、コンテンツの種類に応じて、圧縮率と水平ブランキング期間と冗長度を切り替える方式の一例を示す図である。本実施例では、コンテンツが映画の場合、高画質かつエラー耐性を高くするために、圧縮率を８０％、水平ブランキング期間を延長、主圧縮符号情報の冗長度を２、副圧縮符号情報の冗長度を１としている。一方、コンテンツが囲碁／将棋の場合には、静止している部分が多いという特性から、圧縮率を４０％としつつ、水平ブランキング期間を短縮、主圧縮符号情報の冗長度を１、副圧縮符号情報の冗長度を１とすることで、伝送エラーに対する耐性を高めている。【０２５５】
また、コンテンツがスポーツの場合には、動き部分が多く、圧縮し難い画像であるが、エラーに対する視覚的感度が低いと考え、圧縮率を８０％としつつ、水平ブランキング期間を短縮、主圧縮符号情報および副圧縮符号情報の冗長度を共に０、すなわち冗長な圧縮符号情報を挿入しないことで、高画質化を図りつつ、データの非伝送期間を増加している。
【実施例６】
【０２５６】
実施例４では、所定の伝送エラー率よりも低い場合には、高い圧縮率で、圧縮画像データの量を増やして、高画質化を図った。本実施例では、図４８を用いて、所定の伝送エラー率よりも低い場合における高音質化の方法の一例について説明する。【０２５７】
１８００および１８０２は、圧縮画像データまたは副圧縮符号情報を伝送する有効期間４０６であり、１８０１は、主圧縮符号情報または音声パケットを音声パケットを伝送するブランキング期間４０７である。１８１０は、圧縮前の画像データである。１８２０、１８２１、１８２２は、主圧縮符号情報１８２０と音声パケット１８２１をブランキング期間１８０１で伝送し、副圧縮符号情報または圧縮画像データ１８２２を有効期間１８０２で伝送した場合の一例である。この場合、ブランキング期間１８０１内で伝送可能な音声パケット数は、主圧縮符号情報１８２０の伝送量によって制限される。【０２５８】
ここで、所定の伝送エラー率よりも低い場合には、主圧縮符号情報１８３０も有効期間１８０２で伝送しても良い。この場合、ブランキング期間に、より多くの音声パケットを割り当ることで、高音質化が可能となる。【０２５９】
ブランキング期間は、有効期間に比べて、エラー耐性が高いが、伝送可能なデータ量は、所定の伝送エラー率よりも低い場合には、１／３以下である。【０２６０】
図４９に高音質化を実現する方式の別の一例を示す。１９１０、１９１１、１９１２は、有効期間を延長しない場合に、主圧縮符号情報１９１０、音声パケット１９１１、副圧縮符号情報および圧縮画像データ１９１２を伝送する一例である。この例では、有効期間中に、主圧縮符号情報１９１０を伝送可能な空きはない。【０２６１】
そこで、所定の伝送エラー率よりも低い場合、有効期間を延長し、この延長した有効期間１９０２で主圧縮符号情報１９２１を伝送する方式とする。なお、延長後の有効期間１９０２内であれば、主圧縮符号情報１９２１、副圧縮符号情報および圧縮画像データ１９２２の配置はどこであってもかまわない。この方式の場合、有効期間１９０２における伝送可能なデータ量は、ブランキング期間における伝送可能なデータ量の３倍以上であるため、有効期間の延長量は、ブランキング期間における主圧縮符号情報の伝送期間の１／３以下となる。従って、１９２０で示すように、音声パケットを伝送できるブランキング期間を長くすることができる。音声データ量を増やすことで、高音質化を図ることができる。高音質化の一例としては、チャネル数の増加、より高い音声サンプリング周波数による音声信号生成、より大きな量子化ビットによる音声信号生成、高域や低域に対する帯域制限の緩和などがある。【０２６２】
以上で説明した本実施例によれば、画像伝送装置が伝送する画像データを圧縮して伝送することにより、現在規定している伝送路に、現在規定されている画像サイズより大きなサイズの画像データを伝送することが可能になり、さらに、画像データの伝送領域よりもエラー耐性を高めた領域に、圧縮符号情報の一部である主圧縮符号情報を伝送することによって、エラー耐性が高い圧縮画像伝送を行うことができる。【０２６３】
また、現在規定されている画像サイズの画像データを伝送する場合においては、所定時間当たりのデータ伝送量、もしくはデータ伝送クロックを下げることができるため、エラーの発生頻度を下げることができ、且つ、伝送路でのエラーに対して信頼性の高いシステムを構築することができる。【０２６４】
また、伝送路でエラーが発生して完全なエラー訂正ができない場合においても、エラーによる画質劣化が目立たないエラー処理を行うシステムを実現することができる。
【符号の説明】
【０２６５】
１００            画像伝送装置
１０１            入力部
１０２            入力部
１０３            入力部
１０４            入力部
１０５            チューナ受信処理部
１０６            ネットワーク受信処理部
１０７            記録メディア制御部
１０８            記録メディア
１０９            ユーザIF部
１１０            制御部
１１１            ストリーム制御部
１１２            デコーダ部
１１３            表示処理部
１１４            圧縮処理部
１１５            データ転送部
１１６            出力部
１９１            データバス
１９２            データバス
１９３            データバス
２００            画像受信装置
２０１            入力部
２０２            入力部
２０３            ユーザIF部
２０４            制御部
２０５            データ受信処理部
２０６            伸張処理部
２０７            表示処理部
２０８            表示部
３００            ケーブル
【図１】
2013076777.tif 000003
【図２】
2013076777.tif 000004
【図３】
2013076777.tif 000005
【図４】
2013076777.tif 000006
【図５】
2013076777.tif 000007
【図６】
2013076777.tif 000008
【図７】
2013076777.tif 000009
【図８】
2013076777.tif 000010
【図９】
2013076777.tif 000011
【図１０】
2013076777.tif 000012
【図１１】
2013076777.tif 000013
【図１２】
2013076777.tif 000014
【図１３】
2013076777.tif 000015
【図１４】
2013076777.tif 000016
【図１５】
2013076777.tif 000017
【図１６】
2013076777.tif 000018
【図１７】
2013076777.tif 000019
【図１８】
2013076777.tif 000020
【図１９】
2013076777.tif 000021
【図２０】
2013076777.tif 000022
【図２１】
2013076777.tif 000023
【図２２】
2013076777.tif 000024
【図２３】
2013076777.tif 000025
【図２４】
2013076777.tif 000026
【図２５】
2013076777.tif 000027
【図２６】
2013076777.tif 000028
【図２７】
2013076777.tif 000029
【図２８】
2013076777.tif 000030
【図２９】
2013076777.tif 000031
【図３０】
2013076777.tif 000032
【図３１】
2013076777.tif 000033
【図３２】
2013076777.tif 000034
【図３３】
2013076777.tif 000035
【図３４】
2013076777.tif 000036
【図３５】
2013076777.tif 000037
【図３６】
2013076777.tif 000038
【図３７】
2013076777.tif 000039
【図３８】
2013076777.tif 000040
【図３９】
2013076777.tif 000041
【図４０】
2013076777.tif 000042
【図４１】
2013076777.tif 000043
【図４２】
2013076777.tif 000044
【図４３】
2013076777.tif 000045
【図４４】
2013076777.tif 000046
【図４５】
2013076777.tif 000047
【図４６】
2013076777.tif 000048
【図４７】
2013076777.tif 000049
【図４８】
2013076777.tif 000050
【図４９】
2013076777.tif 000051
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
画像データを伝送する画像伝送装置であって、
画像データを圧縮する圧縮処理部と、
前記圧縮処理部で圧縮した圧縮画像データを出力する出力部とを有し、
前記出力部は、圧縮画像データを第一の期間と当該第一の期間とは異なる第二の期間とに分けて出力することを特徴とする画像伝送装置。
【請求項２】
画像データを圧縮し伝送する画像伝送装置において、
画像データを圧縮処理して、圧縮画像データと、圧縮処理に関する圧縮符号情報とを生成する圧縮処理部と、
前記圧縮画像データを伝送する第一の期間と、前記第一の期間よりもエラー耐性の高い第二の期間とを切り替えて出力するデータ転送部と、を備え、
前記データ転送部は、前記圧縮符号情報を、前記第一の期間と前記第二の期間とに分けて出力すること
を特徴とする画像伝送装置。
【請求項３】
請求項２に記載の画像伝送装置において、
前記第二の期間が水平ブランキング期間または垂直ブランキング期間であることを特徴とする画像伝送装置。
【請求項４】
請求項２に記載の画像伝送装置において、
前記圧縮処理部は、第一の圧縮処理及び当該第一の圧縮処理の後に行われる第二の圧縮処理を行い、
前記データ転送部は、少なくとも前記第二の圧縮処理に関する圧縮符号情報を前記第二の期間に出力することを特徴とする画像伝送装置。
【請求項５】
請求項２に記載の画像伝送装置において、
前記圧縮処理部は、前記第一の期間に出力される圧縮符号情報及び第二の期間に出力される圧縮符号情報のうち、少なくともいずれか一方に対して、さらに圧縮処理を行うことを特徴とする画像伝送装置。
【請求項６】
圧縮された画像データを受信する画像受信装置において、
第一の期間で圧縮された画像データ及び圧縮処理に関する圧縮符号情報の一部を受信し、第一の期間とは異なる第二の期間で前記圧縮に関する圧縮符号情報の残りを受信する受信部と、
前記受信部で受信した圧縮符号情報に基づいて前記受信部で受信した圧縮された画像データを伸長する伸長部と、を有し、
前記伸長部は、第一の期間で受信した圧縮符号情報にエラーが発生した圧縮ブロックにおいて、第二の期間で受信した圧縮符号情報を用いて前記圧縮された画像データを伸張することを特徴とする画像受信装置。
【国際調査報告】
2013076777.tif 000052
2013076777.tif 000053
2013076777.tif 000054
2013076777.tif 000055
2013076777.tif 000056
2013076777.tif 000057
2013076777.tif 000058